(57)【特許請求の範囲】
【請求項１】
ディジタル信号に変換された画像、音声およびテキストなどのマルチメディアデータを蓄積し、
該蓄積されたマルチメディアデータの概要を表す縮小静止画像であるインデックス画像を指定することにより、対応する前記マルチメディアデータを表示あるいは再生するマルチメディアデータファイリングシステムにおいて、
前記マルチメディアデータの入出力を行う入出力手段と、
前記マルチメディアデータを記憶する第１記憶手段と、
交換可能な記憶媒体を有し、該記憶媒体に前記マルチメディアデータを記憶する第２記憶手段と、
前記入出力手段、前記第１記憶手段および前記第２記憶手段を制御する制御手段とを備え、
前記第１記憶手段は、前記マルチメディアデータを管理および操作する管理プログラム、前記インデックス画像およびアクセス情報を含む属性情報を保持するカタログファイルを記憶し、
前記アクセス情報は、少なくとも前記第１記憶手段のデータ格納場所情報、前記マルチメディアデータがバックアップされている前記交換可能な記憶媒体の識別情報、および該交換可能な記憶媒体のデータ格納場所情報を保持することを特徴とするマルチメディアデータファイリングシステム。
【請求項２】
前記マルチメディアデータを再生あるいは表示する際、前記管理プログラムにしたがって前記カタログファイルから選択された前記インデックス画像に対応する前記属性情報を検索し、
該検索された属性情報に含まれる前記アクセス情報に基づき、前記第１記憶手段に対応するマルチメディアデータが存在すると判断された場合、該第１記憶手段から前記マルチメディアデータを読み出して再生し、
前記第１記憶手段に存在しないと判断された場合、前記第２記憶手段から前記マルチメディアデータを読み出して再生すると同時に、該読み出したマルチメディアデータを前記第１記憶手段に転送し、
前記属性情報に含まれる前記アクセス情報に、前記第１記憶手段のデータ格納場所情報を付加したことを特徴とする請求項１記載のマルチメディアデータファイリングシステム。
【請求項３】
前記アクセス情報は対応するマルチメディアデータの最終アクセス日時を含み、
前記マルチメディアデータを再生あるいは表示する際、前記管理プログラムにしたがって前記カタログファイルから選択された前記インデックス画像に対応する前記マルチメディアデータの属性情報を検索し、
該属性情報に含まれる前記アクセス情報に基づき、前記第１記憶手段に対応するマルチメディアデータが存在すると判断される場合、前記第１記憶手段から選択されたマルチメディアデータを読み出して再生すると共に、前記アクセス情報の前記最終アクセス日時を更新し、
前記第１記憶手段に対応するマルチメディアデータが存在しないと判断される場合、制御プログラムにしたがって前記第１記憶手段のデータ書込領域を確認し、
該第１記憶手段に十分なデータ書込領域がない場合、前記カタログファイルから前記第１記憶手段に存在するマルチメディアデータの属性情報を検索し、
該属性情報に含まれる前記最終アクセス日時に基づき、前記第１記憶手段に蓄積されている前記マルチメディアデータの中から最も古いものを順次削除してデータ書込領域を確保し、
選択された前記マルチメディアデータを前記第２記憶手段から読み出して再生すると共に、該読み出されたマルチメディアデータを前記第１記憶手段に転送し、
前記アクセス情報に前記第１記憶手段のデータ格納場所情報を付加し、
該アクセス情報の最終アクセス日時を更新することを特徴とする請求項１記載のマルチメディアデータファイリングシステム。
【請求項４】
前記アクセス情報は、対応するマルチメディアデータの最終アクセス日時を含み、
前記属性情報は、対応するマルチメディアデータの付帯情報および説明情報を含み、
前記マルチメディアデータを再生あるいは表示する際、前記管理プログラムにしたがって前記カタログファイルから選択された前記インデックス画像に対応するマルチメディアデータの付帯情報および説明情報を検索し、
該付帯情報および説明情報に基づくマルチメディアデータに対応するそれぞれの属性情報に含まれる前記アクセス情報に基づき、前記第１記憶手段に前記マルチメディアデータが存在すると判断される場合、前記第１記憶手段から前記マルチメディアデータを読み出して再生すると共に、該アクセス情報の最終アクセス日時を更新し、
前記第１記憶手段に存在しないと判断される場合、制御プログラムにしたがって、前記第１記憶手段のデータ書込領域を確認し、
該第１記憶手段に十分なデータ書込領域がない場合、前記カタログファイルから前記第１記憶手段に存在するマルチメディアデータの属性情報を検索し、
前記最終アクセス日時に基づき、前記第１記憶手段に蓄積されているマルチメディアデータの中から最も古いのを順次削除してデータ書込領域を確保し、
前記マルチメディアデータを前記第２記憶手段から読み出して再生すると共に、前記第１記憶手段に転送し、
前記属性情報に含まれる前記アクセス情報に前記第１記憶手段のデータ格納場所情報を付加し、
前記アクセス情報の最終アクセス日時を更新することを特徴とする請求項１記載のマルチメディアデータファイリングシステム。
【請求項５】
前記属性情報は、対応するマルチメディアデータと他のマルチメディアデータとの関連を示すグループ情報を含み、
前記マルチメディアデータを再生あるいは表示する際、前記管理プログラムにしたがって前記カタログファイルから選択されたマルチメディアデータに対応する前記グループ情報を検索し、
該グループ情報により関連付けされたマルチメディアデータの属性情報を検索し、
該属性情報に含まれる前記アクセス情報に基づき、前記第１記憶手段に存在しないと判断される場合、前記第２記憶手段から前記グループ情報により関連付けされたマルチメディアデータを前記第１記憶手段に転送して蓄積することを特徴とする請求項１記載のマルチメディアデータファイリングシステム。
【請求項６】
前記属性情報は、対応するマルチメディアデータと他のマルチメディアデータとの関連を示すグループ情報を含み、
前記マルチメディアデータを再生あるいは表示する際、前記管理プログラムにしたがって、前記カタログファイルから選択されたマルチメディアデータに対応する前記グループ情報を検索し、
該グループ情報により関連付けされたマルチメディアデータの属性情報を検索し、
該属性情報に含まれる前記アクセス情報に基づき、前記第１記憶手段に存在しないと判断される場合、制御プログラムにしたがって前記第１記憶手段のデータ書込領域を確認し、
該第１記憶手段に十分なデータ書込領域がある場合、前記第２記憶手段から前記グループ情報により関連付けされたマルチメディアデータを前記第１記憶手段に転送して蓄積することを特徴とする請求項１記載のマルチメディアデータファイリングシステム。
【請求項７】
前記アクセス情報は、対応するマルチメディアデータの最終アクセス日時を含み、
前記属性情報は、対応するマルチメディアデータと他のマルチメディアデータとの関連を示すグループ情報を含み、
該マルチメディアデータを再生あるいは表示する際、前記管理プログラムにしたがって前記カタログファイルから選択された前記インデックス画像に対応する前記グループ情報を検索し、
該グループ情報により関連付けされたマルチメディアデータの前記属性情報を検索し、
該属性情報に含まれる前記アクセス情報に基づき、前記第１記憶手段に存在しないと判断される場合、制御プログラムにしたがって前記第１記憶手段のデータ書込領域を確認し、
該第１記憶手段に十分なデータ書込領域がある場合、前記第２記憶手段から前記グループ情報により関連付けされたマルチメディアデータを前記第１記憶手段に転送し、
前記第１記憶手段に十分なデータ書込領域がない場合、前記カタログファイルから前記第１記憶手段に存在するマルチメディアデータの属性情報を検索し、
該属性情報に含まれる前記最終アクセス日時に基づき、前記第１記憶手段に蓄積されている前記マルチメディアデータの中から最も古いものを順次削除してデータ書込領域を確保した後に、
前記第２記憶手段から前記グループ情報により関連付けされたマルチメディアデータを転送して蓄積し、
前記アクセス情報の最終アクセス日時を更新することを特徴とする請求項１記載のマルチメディアデータファイリングシステム。
【請求項８】
前記入出力手段に、少なくともマルチメディアデータおよびカタログファイルが蓄積される記憶手段を有する装置が接続された際、前記管理プログラムにしたがって前記接続された装置のカタログファイルから前記属性情報を検索し、
前記バックアップされている交換可能な記憶媒体の識別情報が存在しない、あるいは空である場合、制御プログラムにしたがって前記マルチメディアデータを前記第２記憶手段に転送すると共に、
前記第１記憶手段および前記入出力手段に接続された装置自身が有する記憶手段の双方のカタログファイルのアクセス情報に、前記第２記憶手段に接続されている記憶媒体の識別情報および該記憶媒体のデータ格納場所情報を付加することを特徴とする請求項１記載のマルチメディアデータファイリングシステム。
【請求項９】
前記アクセス情報は、対応するマルチメディアデータの最終アクセス日時を含み、
前記入出力手段に、少なくとも前記マルチメディアデータおよび前記カタログファイルが蓄積される記憶手段を有する装置が接続された際、
前記管理プログラムにしたがって前記入出力手段に接続された装置のカタログファイルから前記属性情報を検索し、
前記マルチメディアデータがバックアップされている交換可能な記憶媒体の識別情報が存在しない、あるいは空である場合、制御プログラムにしたがって前記第１記憶手段および前記第２記憶手段のデータ書込領域を確認し、
前記第１記憶手段および前記第２記憶手段に十分なデータ書込領域がある場合、前記マルチメディアデータを前記第１記憶手段および前記第２記憶手段に転送し、
前記第１記憶手段および前記第２記憶手段に十分なデータ書込領域がない場合、前記カタログファイルから前記第１記憶手段に存在するマルチメディアデータの属性情報を検索し、
該第１記憶手段に蓄積されているマルチメディアデータの中から前記最終アクセス日時の日付が最も古いものを順次削除してデータ書込領域を確保した後に、前記マルチメディアデータを前記第１記憶手段および前記第２記憶手段に転送し、
前記第１記憶手段および前記入出力手段に接続された装置自身の有する記憶手段の双方のカタログファイルの前記アクセス情報に、前記第２記憶手段に接続された記憶媒体の識別情報、該第２記憶手段に接続されている記憶媒体のデータ格納場所情報、および前記第１記憶手段のデータ格納場所情報を付加し、
該アクセス情報の最終アクセス日時を更新することを特徴とする請求項１記載のマルチメディアデータファイリングシステム。
【請求項１０】
前記マルチメディアデータのうち動画像データの一場面を指定し、静止画像として抽出および保存する抽出保存手段と、
前記カタログファイル内に元の動画像と抽出した前記静止画像との関連付けを示すグループ情報を付加する付加手段とを備えたことを特徴とする請求項１記載のマルチメディアデータファイリングシステム。
【請求項１１】
対応するマルチメディアデータの記録あるいは作成日時を含む付帯情報を有し、
前記マルチメディアデータのうち動画像データの一場面を指定し、静止画として抽出および保存する抽出保存手段と、
該抽出した静止画データに、前記付帯情報に含まれる前記記録あるいは作成日時と該抽出した静止画までの再生時間とから前記静止画が記録された時間を計算し、
該計算された時間を、前記抽出した静止画の付帯情報として前記カタログファイルに付加することを特徴とする請求項１記載のマルチメディアデータファイリングシステム。
【請求項１２】
前記アクセス情報は、前記マルチメディアデータのうち動画像データや音声データといった継続性のあるデータについて、バックアップされている交換可能な記録媒体に蓄積されているデータの再生範囲を保持し、
前記管理プログラムにしたがって前記カタログファイル内の前記再生範囲を書き換える書換手段を備え、
前記マルチメディアデータを再生する際、前記管理プログラムにしたがって前記カタログファイルから選択された前記インデックス画像に対応するマルチメディアデータの属性情報を検索し、
該属性情報に含まれる前記アクセス情報に基づき、前記第１記憶手段に存在すると判断される場合、前記第１記憶手段から前記再生範囲に記載された範囲のみを読み出して再生し、
前記第１記憶手段に存在しないと判断される場合、前記再生範囲に記載された範囲だけを前記第２記憶手段から読み出して再生すると同時に、
前記第１記憶手段に転送して蓄積することを特徴とする請求項１記載のマルチメディアデータファイリングシステム。
【請求項１３】
前記アクセス情報は、前記マルチメディアデータのうち動画像データや音声データといった継続性のあるデータについて、バックアップされている交換可能な記録媒体に蓄積されているデータの再生範囲を保持し、
前記管理プログラムにしたがって前記カタログファイル内の前記再生範囲を書き換えると同時に、
該動画像データもしくは音声データが時間方向の相関を用いたディジタル信号圧縮方式で圧縮されたデータである場合、前記再生範囲の開始位置と終了位置との近傍のデータを時間方向の相関を用いない圧縮方式に変換して前記第２記憶手段に書き換える書換手段を備えたことを特徴とする請求項１記載のマルチメディアファイリングシステム。
【請求項１４】
前記アクセス情報は、前記マルチメディアデータのうち動画像データや音声データといった継続性のあるデータについて、バックアップされている交換可能な記録媒体に蓄積されているデータの再生範囲を保持し、
複数の前記マルチメディアデータの少なくとも一部を合成した合成データを、該合成データの元となる各マルチメディアデータの格納場所および前記再生範囲の組み合わせによる合成データ構成情報により記述し、
前記カタログファイルに登録する登録手段を備え、
該合成データの再生が指示された際、前記合成データ構成情報を基に元となる各マルチメディアデータから所望のマルチメディアデータを合成して再生する再生手段とを備えることを特徴とする請求項１記載のマルチメディアファイリングシステム。
【発明の詳細な説明】
【０００１】
【発明の属する技術分野】
本発明は、ディジタル形式の信号に変換された画像、音声およびテキストなどのマルチメディアデータを蓄積し、管理、検索、分類を行うマルチメディアデータファイリングシステムに関する。
【０００２】
【従来の技術】
近年、ディジタル信号処理技術、コンピュータ技術の進歩により静止画や動画といった画像信号や、音声信号をディジタル信号として、処理、伝送、記憶する方式が普及しつつある。
【０００３】
その入力手段としてディジタルカメラ装置があり、ＪＰＥＧ方式やＭＰＥＧ方式で圧縮した静止画および動画をディジタルカメラ装置内のハードディスクドライブ装置やＰＣＭＣＩＡ規格のメモリカード内に記憶することができる。また、アナログ形式で撮影した画像をディジタル信号に変換して光ディスクなどに記憶したフォトＣＤなどがある。
【０００４】
従来、ディジタルカメラ装置などから転送されたマルチメディアデータを、パーソナルコンピュータシステムに付随した記憶手段、例えばハードディスクドライブ装置、光ディスクドライブ装置などに保存し、他のデータファイルやプログラムファイルと同じ従来のオペレーティングシステム（ＯＳ）のファイル管理システムの下で管理していた。
【０００５】
【発明が解決しようとする課題】
しかしながら、従来のファイル管理システムでは、以下に掲げる問題があった。即ち、マルチメディアデータの編集作業を行う際、頻繁にデ一タの書換が発生するためハードディスク等の高速に読み書きできる記憶媒体が適しているが、画像データ、特に動画データは大量の記憶容量を要する（例えば、ＭＰＥＧ１（３２０×２４０×３０ｆｐｓ）では１０ＭＢ／ｍｉｎ）ので、記憶装置の大きな領域を占有し、ハードディスクではすぐに記憶容量が不足となってしまうという問題があった。
【０００６】
光ディスクのようなリムーバブルメディアであれば、リムーバブルメディアを交換することで記憶容量の不足を補うことができるが、複数のリムーバブルメディアにマルチメディアファイルが散在し、必要なデータを検索することが困難であった。また、複数のリムーバブルディスクに跨るようなマルチメディアデータは従来のＯＳのファイル管理システムでは直接扱えなかった。さらに、光ディスクはハードディスクに比べて読み書き速度が遅く、デ一タの編集作業時の一時記憶としては不適当であった。
【０００７】
また、デジタルカメラ装置等からマルチメディアデータファイリングシステムにデータを登録する際、どのデータが登録済でどのデータが登録済でないかはユーザーが記憶している必要があり、データを選択して登録する作業を手動操作で行う必要があった。
【０００８】
さらに、動画データから１画面を選択し静止画として取り出して登録する場合、元となる動画データに撮影時の付帯情報を参考にして取り出した静止画に対し、ユーザーが手動で付帯情報を登録する必要があった。また、取り出し元の動画と取り出した静止画との関連付けをしたいときも手動で関連付けをする必要があった。元のデータを残したまま動画もしくは音声データの一部を削除したり、複数のデータを合成して新規のデータを作るためには、元のデータとは別に新規データを作る必要があり、記録用メモリが大量に必要であった。
【０００９】
そこで、本発明は、マルチメディアデータの読み書きの高速性を損なうことなく、しかも容量不足を解消しつつ手動による登録作業を容易に行えるマルチメディアデータファイリングシステムを提供することを目的とする。
【００１０】
【課題を解決するための手段】
上記目的を達成するために、本発明の請求項１に係るマルチメディアデータファイリングシステムは、ディジタル信号に変換された画像、音声およびテキストなどのマルチメディアデータを蓄積し、該蓄積されたマルチメディアデータの概要を表す縮小静止画像であるインデックス画像を指定することにより、対応する前記マルチメディアデータを表示あるいは再生するマルチメディアデータファイリングシステムにおいて、前記マルチメディアデータの入出力を行う入出力手段と、前記マルチメディアデータを記憶する第１記憶手段と、交換可能な記憶媒体を有し、該記憶媒体に前記マルチメディアデータを記憶する第２記憶手段と、前記入出力手段、前記第１記憶手段および前記第２記憶手段を制御する制御手段とを備え、前記第１記憶手段は、前記マルチメディアデータを管理および操作する管理プログラム、前記インデックス画像およびアクセス情報を含む属性情報を保持するカタログファイルを記憶し、前記アクセス情報は、少なくとも前記第１記憶手段のデータ格納場所情報、前記マルチメディアデータがバックアップされている前記交換可能な記憶媒体の識別情報、および該交換可能な記憶媒体のデータ格納場所情報を保持することを特徴とする。
【００１１】
請求項２に係るマルチメディアデータファイリングシステムは、請求項１に係るマルチメディアデータファイリングシステムにおいて前記マルチメディアデータを再生あるいは表示する際、前記管理プログラムにしたがって前記カタログファイルから選択された前記インデックス画像に対応する前記属性情報を検索し、該検索された属性情報に含まれる前記アクセス情報に基づき、前記第１記憶手段に対応するマルチメディアデータが存在すると判断された場合、該第１記憶手段から前記マルチメディアデータを読み出して再生し、前記第１記憶手段に存在しないと判断された場合、前記第２記憶手段から前記マルチメディアデータを読み出して再生すると同時に、該読み出したマルチメディアデータを前記第１記憶手段に転送し、前記属性情報に含まれる前記アクセス情報に、前記第１記憶手段のデータ格納場所情報を付加したことを特徴とする。
【００１２】
請求項３に係るマルチメディアデータファイリングシステムでは、請求項１に係るマルチメディアデータファイリングシステムにおいて前記アクセス情報は対応するマルチメディアデータの最終アクセス日時を含み、前記マルチメディアデータを再生あるいは表示する際、前記管理プログラムにしたがって前記カタログファイルから選択された前記インデックス画像に対応する前記マルチメディアデータの属性情報を検索し、該属性情報に含まれる前記アクセス情報に基づき、前記第１記憶手段に対応するマルチメディアデータが存在すると判断される場合、前記第１記憶手段から選択されたマルチメディアデータを読み出して再生すると共に、前記アクセス情報の前記最終アクセス日時を更新し、前記第１記憶手段に対応するマルチメディアデータが存在しないと判断される場合、制御プログラムにしたがって前記第１記憶手段のデータ書込領域を確認し、該第１記憶手段に十分なデータ書込領域がない場合、前記カタログファイルから前記第１記憶手段に存在するマルチメディアデータの属性情報を検索し、該属性情報に含まれる前記最終アクセス日時に基づき、前記第１記憶手段に蓄積されている前記マルチメディアデータの中から最も古いものを順次削除してデータ書込領域を確保し、選択された前記マルチメディアデータを前記第２記憶手段から読み出して再生すると共に、該読み出されたマルチメディアデータを前記第１記憶手段に転送し、前記アクセス情報に前記第１記憶手段のデータ格納場所情報を付加し、該アクセス情報の最終アクセス日時を更新することを特徴とする。
【００１３】
請求項４に係るマルチメディアデータファイリングシステムでは、請求項１に係るマルチメディアデータファイリングシステムにおいて前記アクセス情報は、対応するマルチメディアデータの最終アクセス日時を含み、前記属性情報は、対応するマルチメディアデータの付帯情報および説明情報を含み、前記マルチメディアデータを再生あるいは表示する際、前記管理プログラムにしたがって前記カタログファイルから選択された前記インデックス画像に対応するマルチメディアデータの付帯情報および説明情報を検索し、該付帯情報および説明情報に基づくマルチメディアデータに対応するそれぞれの属性情報に含まれる前記アクセス情報に基づき、前記第１記憶手段に前記マルチメディアデータが存在すると判断される場合、前記第１記憶手段から前記マルチメディアデータを読み出して再生すると共に、該アクセス情報の最終アクセス日時を更新し、前記第１記憶手段に存在しないと判断される場合、制御プログラムにしたがって、前記第１記憶手段のデータ書込領域を確認し、該第１記憶手段に十分なデータ書込領域がない場合、前記カタログファイルから前記第１記憶手段に存在するマルチメディアデータの属性情報を検索し、前記最終アクセス日時に基づき、前記第１記憶手段に蓄積されているマルチメディアデータの中から最も古いのを順次削除してデータ書込領域を確保し、前記マルチメディアデータを前記第２記憶手段から読み出して再生すると共に、前記第１記憶手段に転送し、前記属性情報に含まれる前記アクセス情報に前記第１記憶手段のデータ格納場所情報を付加し、前記アクセス情報の最終アクセス日時を更新することを特徴とする。
【００１４】
請求項５に係るマルチメディアデータファイリングシステムでは、請求項１に係るマルチメディアデータファイリングシステムにおいて前記属性情報は、対応するマルチメディアデータと他のマルチメディアデータとの関連を示すグループ情報を含み、前記マルチメディアデータを再生あるいは表示する際、前記管理プログラムにしたがって前記カタログファイルから選択されたマルチメディアデータに対応する前記グループ情報を検索し、該グループ情報により関連付けされたマルチメディアデータの属性情報を検索し、該属性情報に含まれる前記アクセス情報に基づき、前記第１記憶手段に存在しないと判断される場合、前記第２記憶手段から前記グループ情報により関連付けされたマルチメディアデータを前記第１記憶手段に転送して蓄積することを特徴とする。
【００１５】
請求項６に係るマルチメディアデータファイリングシステムでは、請求項１に係るマルチメディアデータファイリングシステムにおいて前記属性情報は、対応するマルチメディアデータと他のマルチメディアデータとの関連を示すグループ情報を含み、前記マルチメディアデータを再生あるいは表示する際、前記管理プログラムにしたがって、前記カタログファイルから選択されたマルチメディアデータに対応する前記グループ情報を検索し、該グループ情報により関連付けされたマルチメディアデータの属性情報を検索し、該属性情報に含まれる前記アクセス情報に基づき、前記第１記憶手段に存在しないと判断される場合、制御プログラムにしたがって前記第１記憶手段のデータ書込領域を確認し、該第１記憶手段に十分なデータ書込領域がある場合、前記第２記憶手段から前記グループ情報により関連付けされたマルチメディアデータを前記第１記憶手段に転送して蓄積することを特徴とする。
【００１６】
請求項７に係るマルチメディアデータファイリングシステムでは、請求項１に係るマルチメディアデータファイリングシステムにおいて前記アクセス情報は、対応するマルチメディアデータの最終アクセス日時を含み、前記属性情報は、対応するマルチメディアデータと他のマルチメディアデータとの関連を示すグループ情報を含み、該マルチメディアデータを再生あるいは表示する際、前記管理プログラムにしたがって前記カタログファイルから選択された前記インデックス画像に対応する前記グループ情報を検索し、該グループ情報により関連付けされたマルチメディアデータの前記属性情報を検索し、該属性情報に含まれる前記アクセス情報に基づき、前記第１記憶手段に存在しないと判断される場合、制御プログラムにしたがって前記第１記憶手段のデータ書込領域を確認し、該第１記憶手段に十分なデータ書込領域がある場合、前記第２記憶手段から前記グループ情報により関連付けされたマルチメディアデータを前記第１記憶手段に転送し、前記第１記憶手段に十分なデータ書込領域がない場合、前記カタログファイルから前記第１記憶手段に存在するマルチメディアデータの属性情報を検索し、該属性情報に含まれる前記最終アクセス日時に基づき、前記第１記憶手段に蓄積されている前記マルチメディアデータの中から最も古いものを順次削除してデータ書込領域を確保した後に、前記第２記憶手段から前記グループ情報により関連付けされたマルチメディアデータを転送して蓄積し、前記アクセス情報の最終アクセス日時を更新することを特徴とする。
【００１７】
請求項８に係るマルチメディアデータファイリングシステムは、請求項１に係るマルチメディアデータファイリングシステムにおいて前記入出力手段に、少なくともマルチメディアデータおよびカタログファイルが蓄積される記憶手段を有する装置が接続された際、前記管理プログラムにしたがって前記接続された装置のカタログファイルから前記属性情報を検索し、前記バックアップされている交換可能な記憶媒体の識別情報が存在しない、あるいは空である場合、制御プログラムにしたがって前記マルチメディアデータを前記第２記憶手段に転送すると共に、前記第１記憶手段および前記入出力手段に接続された装置自身が有する記憶手段の双方のカタログファイルのアクセス情報に、前記第２記憶手段に接続されている記憶媒体の識別情報および該記憶媒体のデータ格納場所情報を付加することを特徴とする。
【００１８】
請求項９に係るマルチメディアデータファイリングシステムでは、請求項１に係るマルチメディアデータファイリングシステムにおいて前記アクセス情報は、対応するマルチメディアデータの最終アクセス日時を含み、前記入出力手段に、少なくとも前記マルチメディアデータおよび前記カタログファイルが蓄積される記憶手段を有する装置が接続された際、前記管理プログラムにしたがって前記入出力手段に接続された装置のカタログファイルから前記属性情報を検索し、前記マルチメディアデータがバックアップされている交換可能な記憶媒体の識別情報が存在しない、あるいは空である場合、制御プログラムにしたがって前記第１記憶手段および前記第２記憶手段のデータ書込領域を確認し、前記第１記憶手段および前記第２記憶手段に十分なデータ書込領域がある場合、前記マルチメディアデータを前記第１記憶手段および前記第２記憶手段に転送し、前記第１記憶手段および前記第２記憶手段に十分なデータ書込領域がない場合、前記カタログファイルから前記第１記憶手段に存在するマルチメディアデータの属性情報を検索し、該第１記憶手段に蓄積されているマルチメディアデータの中から前記最終アクセス日時の日付が最も古いものを順次削除してデータ書込領域を確保した後に、前記マルチメディアデータを前記第１記憶手段および前記第２記憶手段に転送し、前記第１記憶手段および前記入出力手段に接続された装置自身の有する記憶手段の双方のカタログファイルの前記アクセス情報に、前記第２記憶手段に接続された記憶媒体の識別情報、該第２記憶手段に接続されている記憶媒体のデータ格納場所情報、および前記第１記憶手段のデータ格納場所情報を付加し、該アクセス情報の最終アクセス日時を更新することを特徴とする。
【００１９】
請求項１０に係るマルチメディアデータファイリングシステムは、請求項１に係るマルチメディアデータファイリングシステムにおいて前記マルチメディアデータのうち動画像データの一場面を指定し、静止画像として抽出および保存する抽出保存手段と、前記カタログファイル内に元の動画像と抽出した前記静止画像との関連付けを示すグループ情報を付加する付加手段とを備えたことを特徴とする。
【００２０】
請求項１１に係るマルチメディアデータファイリングシステムは、請求項１に係るマルチメディアデータファイリングシステムにおいて対応するマルチメディアデータの記録あるいは作成日時を含む付帯情報を有し、前記マルチメディアデータのうち動画像データの一場面を指定し、静止画として抽出および保存する抽出保存手段と、該抽出した静止画データに、前記付帯情報に含まれる前記記録あるいは作成日時と該抽出した静止画までの再生時間とから前記静止画が記録された時間を計算し、該計算された時間を、前記抽出した静止画の付帯情報として前記カタログファイルに付加することを特徴とする。
【００２１】
請求項１２に係るマルチメディアデータファイリングシステムでは、請求項１に係るマルチメディアデータファイリングシステムにおいて前記アクセス情報は、前記マルチメディアデータのうち動画像データや音声データといった継続性のあるデータについて、バックアップされている交換可能な記録媒体に蓄積されているデータの再生範囲を保持し、前記管理プログラムにしたがって前記カタログファイル内の前記再生範囲を書き換える書換手段を備え、前記マルチメディアデータを再生する際、前記管理プログラムにしたがって前記カタログファイルから選択された前記インデックス画像に対応するマルチメディアデータの属性情報を検索し、該属性情報に含まれる前記アクセス情報に基づき、前記第１記憶手段に存在すると判断される場合、前記第１記憶手段から前記再生範囲に記載された範囲のみを読み出して再生し、前記第１記憶手段に存在しないと判断される場合、前記再生範囲に記載された範囲だけを前記第２記憶手段から読み出して再生すると同時に、前記第１記憶手段に転送して蓄積することを特徴とする。
【００２２】
請求項１３に係るマルチメディアファイリングシステムでは、請求項１に係るマルチメディアファイリングシステムにおいて前記アクセス情報は、前記マルチメディアデータのうち動画像データや音声データといった継続性のあるデータについて、バックアップされている交換可能な記録媒体に蓄積されているデータの再生範囲を保持し、前記管理プログラムにしたがって前記カタログファイル内の前記再生範囲を書き換えると同時に、該動画像データもしくは音声データが時間方向の相関を用いたディジタル信号圧縮方式で圧縮されたデータである場合、前記再生範囲の開始位置と終了位置との近傍のデータを時間方向の相関を用いない圧縮方式に変換して前記第２記憶手段に書き換える書換手段を備えたことを特徴とする。
【００２３】
請求項１４に係るマルチメディアファイリングシステムでは、請求項１に係るマルチメディアファイリングシステムにおいて前記アクセス情報は、前記マルチメディアデータのうち動画像データや音声データといった継続性のあるデータについて、バックアップされている交換可能な記録媒体に蓄積されているデータの再生範囲を保持し、複数の前記マルチメディアデータの少なくとも一部を合成した合成データを、該合成データの元となる各マルチメディアデータの格納場所および前記再生範囲の組み合わせによる合成データ構成情報により記述し、前記カタログファイルに登録する登録手段を備え、該合成データの再生が指示された際、前記合成データ構成情報を基に元となる各マルチメディアデータから所望のマルチメディアデータを合成して再生する再生手段とを備えることを特徴とする。
【００２４】
【発明の実施の形態】
本発明のマルチメディアデータファイリングシステムの実施の形態について説明する。
【００２５】
［第１の実施の形態］
図１は第１の実施の形態におけるマルチメディアデ一タファイリングシステムの構成を示すブロック図である。
【００２６】
図において、１はマルチメディアデータファイリングシステム、２はデータバス及び制御信号バスライン、３はディジタルカメラ入出力インタ一フェース、４はハードディスクドライブ（以下ＨＤＤ）、５は交換可能な光ディスクを駆動する光ディスクドライブ、６は各ブロックを管理しデータ処理を行なうＣＰＵ、７はマルチメディアデータファイリングシステムのオペレーティングシステムや、プログラムを記憶するＲＯＭ、８はＣＰＵ６が処理するデータの一時記憶に用いられるＲＡＭ、９はパーソナルコンピュータとデータバス２とを接続するインターフェ一ス回路、１０は画像デ一タをＣＲＴ等のディスプレイ装置に表示するビデオコントロール回路である。
【００２７】
また、１１はマルチメディアデータの圧縮伸長、拡大縮小、アスペクト比変換、フォーマット変換等の処理を行なうＤＳＰ（Ｄｉｇｉｔａｌ  Ｓｉｇｎａｌ  Ｐｒｏｃｅｓｓｉｎｇ）回路、１２はアナログ映像信号をディジタル信号に変換するＡ／Ｄコンバータ、１３はアナログ形式の映像信号を入力するインターフェース回路である。
【００２８】
さらに、１４は画像データをプリンタに出力するプリンタコントロール回路、１５はマイク１６、スピーカ１７をデータバス２に接続するサウンドインターフェース回路、１８はマルチメディアデータをディジタルカメラ等から転送するメモリカ一ド、１９は光ディスクドライブ５により駆動される交換可能な光ディスク、２０はディスプレイ、２１はバーソナルコンピュータ、２２はプリンタ、２３はディジタルカメラ等をケーブルを介して接続する接続端子である。
【００２９】
上記構成を有するマルチメディアデータファイリングシステム１では、静止画、動画、音声といった全てのマルチメディアデ一タはデータバス２を経由して各ブロックに転送される。
【００３０】
ＨＤＤ４には、管理プログラム、カタログファイル、および複数のマルチメディアデータが蓄積されている。管理プログラムはマルチメディアデータを管理あるいは操作するものである。また、カタログファイルは、マルチメディアデータファリングシステム１に入力され、光ディスク１９に蓄積される全てのマルチメディアデータについて、検索情報、データ間の関連情報、および概要を表す縮小静止画像によるインデックス画像データもしくはアイコンデータを含む属性情報を格納するものである。さらに、複数のマルチメディアデータはマルチメディアデータファイリングシステム１に入力された、もしくは選択されたマルチメディアデ一タのうち最近操作されたものである。
【００３１】
光ディスク１９には、全てのマルチメディアデータが記録される。但し１枚の光ディスクに全ての登録データが収納できない場合、複数の光ディスク１９を用いて全てのマルチメディアデータを記録する。
【００３２】
図２は、ＨＤＤ４、メモリカード１８および光ディスク１９に格納されるデ一タ及びファイル内容を示す説明図である。２４はＨＤＤ４もし〈はメモリカード１８の内容例である。
【００３３】
２６はマルチメディアデータファイリングシステム１に入力された全てのマルチメディアデータの属性情報を格納するカタログファイルである。２７はマルチメディアデータ属性情報（以下属性情報）およびその内容例である。２８は複数の画像データを一連の動画もしくは組写真として表示するグループ情報である。２９は画像デ一タ撮影時の日時、シャッタースピ一ド、絞り値等の付帯情報である。３０は画像デ一タの説明やＢＧＭとして音声データやテキストを画像データと同時に再生するアノテーション情報、３１はマルチメディアデータの概要を表す縮小静止画像であるインデックス画像、３２はデータの格納場所等を示すアクセス情報である。
【００３４】
カタログファイル２６には、図２の３３に示すようにマルチメディアデータファイリングシステム１に入力されたそれぞれのマルチメディアデータについての属性情報２７が格納されている。３４は管理プログラムである。３５はマルチメディアデータファイリングシステム１において最近アクセスされたマルチメディアデータ群である。
【００３５】
２５は前述した通り光ディスク１９の内容例である。３６は光ディスク１９に記憶されるｎ個のマルチメディアデータ群である。３７は個々の光ディスク１９に固有の識別情報である。
【００３６】
ＨＤＤ４とメモリカード１８とは同様のファイル構成を有する。また、ディジタルカメラ自体にマルチメディアデータを複数枚記憶可能な記憶装置が存在する場合、そのファイル構造は上記内容例２４と同様であることが望ましい。ここで、マルチメディアデータとは、それぞれ動画・静止画・音声といった本体データ（以後本体データ）と、カタログファイルに記載される属性情報とから構成されるものである。マルチメディアデータの種類、例えば動画・静止画・音声のいずれであるかにより、アクセス情報３２の内容は異なる。
【００３７】
図３はアクセス情報３２の内容を示す説明図である。図において、３２ａは動画のアクセス情報、３２ｂは静止画のアクセス情報、３２ｃは音声のアクセス情報である。動画、静止画、音声のいずれのアクセス情報３２ａ、３２ｂ、３２ｃにも、マルチメディアデータを取りだすための格納場所情報（ファイルパス名）３８、バックアップ先の光ディスクの識別情報（ＩＤ）および格納場所情報（ファイルパス名）３９、動画・静止画・音声のいずれかを示すデータ種類の識別情報４０、最終アクセス日時４１が含まれる。４２はマルチメディアデータが動画である場合の再生フレ一ム範囲であり、４３は動画もしくは静止画である場合のデ一タの圧縮方式であり、４４は音声データである場合の再生時間範囲である。
【００３８】
尚、本実施例では高速アクセス可能なハードディスクドライブ装置を使用した場合について説明するが、その他半導体メモリ等によっても実現できることは言うまでもない。
【００３９】
また、大容量の交換可能な記憶媒体を駆動するものとして、光ディスク及び光ディスクドライブ装置を使用した場合について説明するが、その他複数枚の光ディスクを駆動することが可能なディスクチェンジャドライブ装置や磁気テープ等の媒体によっても実現できることは言うまでもない。
【００４０】
図４は管理プログラム３４の構成を示すブロック図である。管理プログラム３４には、カタログファイル検索・編集手段４５、インデックス画像表示・指定手段４６、インデックス画像編集・作成手段４７、マルチメディアデータ再生・転送手段４８、カメラ設定手段４９、付帯情報検索・表示手段５０、グループデータ制御手段５１、およびアノテーションデータ制御手段５２が含まれる。
【００４１】
また、５３はＨＤＤ４内に格納されるインデックスデータ群、５４は図２の３６および３７を合わせたマルチメディアデータファイル群である。
【００４２】
５５はマルチメディアファイリングシステム１のオペレーティングシステム（ＯＳ）５６内にあるマルチメディアデータ制御手段である。マルチメディア制御手段５５は、マルチメディアデータのデータバス２を介した転送、各ディスク装置への記録や削除、あるいは各出力装置における表示・再生などの基本機能を有する。
【００４３】
図５はメモリカード１８が接続され、もし〈は接続端子２３にディジタルカメラが接続された際、新規のマルチメディアデ一タをマルチメディアデータファイリングシステム１に自動的にバックアップする処理手順を示すフローチャートである。
【００４４】
まず、イベントループで利用者からのメニュー選択等の入力を待つ（ステップＳ１）。管理プログラム３４にしたがって、ＣＰＵ６は一定期間ごとにイベントの発生の有無を確認し（ステップＳ２）、発生していない場合、バックグラウンド処理を行って（ステップＳ３）、再び入力待ち状態となる。ステップＳ３のバックグラウンド処理では、利用者からの入力によらず管理プログラム３４にしたがって、マルチメディアデータの転送・保守などの作業を行なう。
【００４５】
イベントが発生するとイベントループを抜け、それぞれ後述するイベントを処理した後に再びステップＳ１に戻る。イベントが管理プログラムの終了命令であるか否かを判別し（ステップＳ４）、終了命令が発生した場合、管理プログラムを終了する（ステップＳ５）。
【００４６】
ディジタルカメラインターフェ一ス回路３にメモリカード１８及び接続端子２３が接続されたか否かを判別し（ステップＳ６）、新たに接続が確認された場合、ステップＳ８に進み、それ以外の場合は他の処理を行い（ステップＳ７）、イベントループ（ステップＳ１）に戻る。
【００４７】
ステップＳ８では、管理プログラム３４によって実現されるカタログファイル検索・編集手段４５は、メモリカ一ド１８もしくはディジタルカメラ内のカタログファイル２６から各データの属性情報２７に含まれるアクセス情報３２内のバックアップ先ディスクＩＤ３９を検索する。
【００４８】
その検索の結果（ステップＳ９）、マルチメディアデ一タのうち、バックアップ先ディスクＩＤ３９に記述がない新規のマルチメディアデータが存在するか否かを判別し（ステップＳ１１）、存在する場合、マルチメディアデータ再生・転送手段４８はマルチメディアデ一タ制御手段５５を用いて、ＨＤＤ４の空き容量を確保し（ステップＳ１２）、ディジタルカメラインターフェース回路３から、データバス２を経由してマルチメディアデータをＨＤＤ４および光ディスク１９に転送する（ステップＳ１３）。このとき、カタログファイル２６は更新される。
【００４９】
入力される各マルチメディアデータがインデックス画像としてファイルを代表する縮小静止画像を有するか否かを判別し（ステップＳ１４）、インデックス画像を有しない場合、管理プログラム３４によって実現されるインデックス画像編集・作成手段４７はＤＳＰ１１にマルチメディアデータを転送し、インデックス画像を作成し（ステップＳ１５）、ＨＤＤ４に保存すると同時にカタログファイル２６に登録する（ステップＳ１６）。
【００５０】
ステップＳ９で検索が終了すると、新規に入力されたデータも含めてインデックス画像を一覧表示し（ステップＳ１０）、ステップＳ１のイベントループに戻る。
【００５１】
図６は図５のステップＳ１２におけるＨＤＤ４の空き容量を確保する処理手順を示すフローチャートである。まず、ＨＤＤ４に空き容量があるか否かを判別し（ステップＳ１７）、マルチメディアデータの動画、静止画、音声といった本体データは光ディスク１９に保存されると同時に、ＨＤＤ４の一定の記憶領域内に保存されるが、その容量を越えてディジタルカメラ入出力インタ一フェース３もしくは光ディスク１９から本体データが転送されてきた場合には、空き容量がないので、カタログファイル検索・編集手段４５は、カタログファイル２６から各データのアクセス情報３２内の最終アクセス日時４１を検索する（ステップＳ１８）。
【００５２】
その検索結果からマルチメディアデータ制御手段５５は、本体データがＨＤＤ４に保存されているデータの中で最も古くアクセスされたデータから、新しく転送されたデータを保存するために十分な空き容量を確保するまで順次削除する（ステップＳ１９）。
【００５３】
処理を終了した後、前述の図５のステップＳ１３において空き領域に最新の本体データを格納する。同時に付帯情報をＨＤＤ４内のカタログファイル２６に付加し、カタログファイル検索・編集手段４５はメモリカード１８及びマルチメディアファイリングシステム１の双方のファイルパス名３８、バツクアップ先ディスクＩＤ及びファイルパス名３９、最終アクセス日時４１を更新する。
【００５４】
図７は利用者がインデックス画像を選択することによりマルチメディアデータを表示あるいは再生する処理手順を示すフローチャートである。図５と同一のステップは同一のステップ番号を付してその説明を省略する。
【００５５】
インデックス画像は、管理プログラム３４によって実現されるインデックス画像表示・指定手段４６によりマルチメディアデータファイリングシステム１に接続されたパーソナルコンピュータ２１等に一覧表示される。
【００５６】
まず、利用者がインデックス画像をパーソナルコンピュータ２１のマウスおよびキーボードといった入力手段により選択すると（ステップＳ２０）、カタログファイル検索・編集手段４５は、カタログファイル２６からインデックス画像に対応するマルチメディアデータの属性情報２７に含まれる付帯情報２９、アノテーション情報３０、アクセス情報３２を検索する（ステップＳ２１）。
【００５７】
アクセス情報３２内のファイルパス名３８およびバックアップ先ディスクＩＤ３９の検索結果、ＨＤＤ４に本体デ一タが格納されているか否かを判別し（ステップＳ２２）、ＨＤＤ４に本体デ一タが格納されている場合、ＨＤＤ４から再生を行ない、最終アクセス日時４１を更新する（ステップＳ２３）。
【００５８】
ＨＤＤ４に本体デ一タが格納されておらず、現在、光ディスクドライブ５に接続されている光ディスク１９に格納されているか否かを判別し（ステップＳ２４）、光ディスク１９に格納されている場合、マルチメディアデータ再生・転送手段４８はＨＤＤ４の空き容量を確保し（ステップＳ１２）、光ディスク１９から所望のマルチメディアデータを再生した後にＨＤＤ４に転送すると同時に再生、あるいは転送した後に再生する（ステップＳ２６）。
【００５９】
再生後、カタログファイル２６のファイルパス名３８、最終アクセス日時４１を更新する。動画データや音声データの場合、その再生する範囲は、それぞれアクセス情報３２内の再生フレーム範囲４２および再生時間範囲４４により決定され、通常は指定された本体データの全部分である。
【００６０】
一方、ステップＳ２４でＨＤＤ４に本体データが格納されておらず、データが格納されている光ディスク１９が現在、光ディスクドライブ５に接続されていない場合、データが格納されているバックアップ先ディスクＩＤ３７を表示する（ステップＳ２５）。
【００６１】
また、ステップＳ２１で付帯情報２９、アノテーション情報３０を検索した結果、選択した画像に関連するマルチメディアデータがＨＤＤ４に存在する場合、マルチメディアデータ再生・転送手段４８はその関連する本体データもＨＤＤ４に転送し、選択したマルチメディアデータと同時に再生する（ステップＳ２３）。
【００６２】
ステップＳ２３、Ｓ２６で指定されたデータを再生後、カタログファイル検索・編集手段４５は、カタログファイル２６から再生データの属性情報２７に含まれるグループ情報２８を検索する（ステップＳ２７）。検索終了後（ステップＳ２８）、グループ情報２８により関連付けられたマルチメディアデータが存在する場合、マルチメディアデータ再生・転送手段４８はＨＤＤ４の空き容量の有無を判別し（ステップＳ２９）、空き容量が有るときその関連する本体データもＨＤＤ４に転送する（ステップＳ３０）。
【００６３】
ＨＤＤ４に空き容量がない場合、ステップＳ１に戻る。次回、グループ情報により関連付けられたデータを再生する際、ＨＤＤ４に十分空き容量がある場合、デ一タを格納した光ディスクがマルチメディアデータファイリングシステム１の光ディスクドライブ５に接続されていな〈ても、ＨＤＤ４から即時再生することが可能となり、再生時に光ディスクの入れ替えをする必要がなく、光ディスクが接続されている場合においても、再生までの待ち時間を大幅に削減することができる。
【００６４】
［第２の実施の形態］
図８は第２の実施の形態において利用者がインデックス画像を選択することによりマルチメディアデータを表示あるいは再生する処理手順を示すフローチャートである。
【００６５】
前述の図７のフローチャートと異なる点は、指定されたデータを再生後、ステップＳ２７でカタログファイル検索・編集手段４５が、カタログファイル２６からグループ情報２８を検索した後、グループ情報２８により関連付けられたマルチメディアデータが存在する場合、ステップＳ３１で関連するデータを転送予約データとして登録し、イベントループに戻ることにある。
【００６６】
図９は転送予約データの処理手順を示すフローチャートである。この処理では、転送予約データはイベントが発生していない場合、バックグラウンド処理としてＨＤＤ４に転送される。
【００６７】
まず、管理プログラム３４にしたがって、一定期間ごとにイベントの発生の有無を確認し（ステップＳ１、Ｓ２）、イベントが発生した場合、各イベント処理を行い（ステップＳ３２）、管理プログラムの終了命令が発生したか否かを判別し（ステップＳ４）、終了命令が発生したときは管理プログラムを終了し（ステップＳ５）、それ以外の場合、イベントループステップＳ１に戻る。
【００６８】
一方、ステップＳ２でイベントが発生していない場合、ステップＳ３３に進み、転送予約のデータの有無を判断する。転送予約がない場合、他の処理を行い（Ｓ３４）、イベントループステップＳ１に戻る。転送予約がある場合、ステップＳ３５に進み、ＨＤＤ４の空き容量がデータを転送するために十分であるか否かを判別し、空き容量がない場合、ステップＳ１２に進み、図６と同様の処理によって空き容量を確保し、空き容量がある場合、ステップＳ３６に進み、転送予約データをＨＤＤ４に転送する。
【００６９】
尚、バックグラウンド処理の際、データの転送やＨＤＤ４の空き容量確保といった処理は全ての処理が完了していな〈ても、ある一定期間でイベントループに戻るように構成することができる。これにより、バックグラウンド処理中にイベントが発生した場合、一定時間以上待つことなくイベント処理を実行することができる。
【００７０】
以上示したように、図８および図９に示す第２の実施の形態における表示再生処理によれば、グループ情報により関連付けられたデータのＨＤＤ４への転送をバックグラウンド処理により行なうので、関連データが多くて転送に時間がかかる場合でも指定データを再生後、すぐに他の処理を行なうことができる。
【００７１】
本体データの表示・再生は、管理プログラム３４によって実現されるマルチメディアデータ再生・転送手段４８によりＤＳＰ回路１１を操作して行われる。表示・再生等の出力は、マルチメディアデータ再生・転送手段４８により本体データがデータバス２を経由し、パーソナルコンピュータインタフェース９、ビデオコントロール回路１０、プリンタコントロール回路１４、サウンドインターフェース１５に適宜送られ、それぞれパーソナルコンピュータ２１、ディスプレィ２０、プリンタ２２、スピーカ１７に出力される。
【００７２】
ＤＳＰ回路１１は、他に管理プログラム３４によって実現されるマルチメディアデータ再生・転送手段４８によりマルチメディアデータの圧縮、伸長や拡大縮小、アスペクト比変換、フォーマット変換等の処理を行なう。また、アナログ映像インターフェース１３からのアナログ映像信号の入力はＡ／Ｄコンバータ１２によりディジタル信号に変換された後、ＤＳＰ回路１１によってＭ−ＪＰＥＧ、ＭＰＥＣ方式等によって圧縮され、ＨＤＤ４及び光ディスク１９に転送される。
【００７３】
図１０はマルチメディアファイリングシステム１においてマルチメディアデータが入力および選択された場合のＨＤＤ４と光ディスク１９とにおける本体データ及びインデックス画像データの動きを示す説明図である。図１０において、状態ａ，ｂ，ｃ，ｄ，ｅは、マルチメディアファイリングシステム１が、ａ，ｂ，ｃ，ｄ，ｅの順で操作されたことを示す。５７はそれぞれの状態ａ〜ｅにおいてＨＤＤ４が保持している本体データおよびインデックス画像データ、５８はそれぞれの状態ａ〜ｅで光ディスク１９が保持している本体データである。５９はパーソナルコンピュータのマウス、キーボード等の入力手段によるカーソル、６０〜６６はそれぞれマルチメディア本体データ、６７〜７１はそれぞれ状態ａ、ｅにおけるインデックス画像一覧表示である。
【００７４】
状態ａでは画像デ一タ６０及び６１がマルチメディアデータファイリングシステム１に入力され、ＨＤＤ４及び光ディスク１９にバックアップされる。
【００７５】
状態ｂでは画像データ６２、６３、６４が入力され、ＨＤＤ４の本体データを格納する領域がほぼ全て使用されている状態を示している。
【００７６】
状態ｃでは画像データ６５が入力され、ＨＤＤ４の本体データを格納する領域を越えてしまうので、最も古く入力された画像データ６０の本体データがＨＤＤ４から削除される。この時インデックス画像はＨＤＤ４に格納されたままである。
【００７７】
状態ｄでは画像デ一タ６６が入力され、状態ｃと同様にＨＤＤ４内で最も古く入力された画像データ６１が削除される。
【００７８】
状態ｅではパーソナルコンピュ一タ２１等の入力手段のカーソル５９により、一覧表示されたインデックス画像７１の中から画像データ６０を示すインデックス画像を選択すると、マルチメディアデータファイリングシステム１はＨＤＤ４内で最も古く入力された画像データ６２を削除するとともに、光ディスク１９を検索し、画像データ６０をＨＤＤ４に転送し、格納する。
【００７９】
図１１はマルチメディアデータファイリングシステム１に接続されたパーソナルコンピュータ２１上で動画像を再生する際、管理プログラム３４によって実現される画面を示す説明図である。図において、インデックス画像表示・指定手段４６が起動されており、７２はインデックス画像を一覧表示するウィンドウ、７３、７４、７５はそれぞれ動画データＭｏｖｉｅ−１，Ｍｏｖｉｅ−２，Ｍｏｖｉｅ−３のインデックス画像である。
【００８０】
７６はパーソナルコンピュータ２１におけるマウス等の入力手段のカーソルである。カーソル７６によって任意のインデックス画像を指定すると、指定されたインデックス画像の表示枠が太線になって識別表示される。次にインデックス選択メニュー７７から「開く」７８を選択することにより、マルチメディアデータ再生・転送手段４８を起動する。
【００８１】
図１２はＭｏｖｉｅ−１が選択されて表示された状態を表す説明図である。図において、７９はＭｏｖｉｅ−１の画像表示領域、８０は再生・停止ボタン、８１はスライダーノブ、８２は再生時間表示、８３は再生フレーム表示である。Ｍｏｖｉｅ−１は、動画再生メニュー８４の「再生開始」８５もしくは再生・停止ボタン８０をカーソル７６で指示することにより再生される。また、カ一ソル７６によってスライダーノブ８１を移動することにより任意のシーンの頭出しを行うことができる。
【００８２】
図１３は動画データから任意の１フレームを静止画として抽出し、カタログファイル２６内のグループ情報２８により互いの画像を関連付け、以後一方が選択された場合に他方も即時再生可能な様にＨＤＤ４に転送する処理手順を示すフローチャートである。前述の図７と同一のステップは同一のステップ番号を付してその説明を省略する。
【００８３】
イベントとして動画からの静止画作成が発生すると（ステップＳ３１）、静止画を取り出す元の動画データが選択されているか否かを確認し（ステップＳ３２）、元の動画データから静止画として抽出する１シーンを指定すると（ステップＳ３３）、指定した静止画像を保存し（ステップＳ３４）、インデックス画像を作成し（ステップＳ３５）、抽出した静止画に元動画データのフレーム番号や再生時間等を元に撮影日時を算出し、他の撮影条件とともに付帯情報２９を自動的に作成し、カタログファイル２６の静止画データの属性情報２７に追加する（ステップＳ３６）。また、アクセス情報３２、元の動画像との関連を示すグループ情報２８を登録する（ステップＳ３７）。
【００８４】
図１４は動画像から静止画として抽出する１シーンを指定する際、管理プログラム３４によって実現される画面を示す説明図である。再生・停止ボタン８０もし〈はスライダーノブ８１をカ一ソル７６により指示するか、あるいは再生時間表示８２や再生フレーム表示８３にパーソナルコンピュータ２１のキーボードから数値を入力することにより、動画データの中の所望のシーンを表示し、静止画作成メニュ一８６の「静止画にする」８７を選択することにより、表示されている画像を静止画として登録することができる。
【００８５】
図１５は動画データから静止画を抽出した際のデータ構造およびカタログファイルの更新状態を示す説明図である。同図（Ａ）は動画データ８８からまだ静止画を抽出していない状態を表す。８９ａはカタログファイル２６の動画データ８８に関する記述の抜粋であり、ファイルパス名９０とグループ情報９１ａ、付帯情報９２が示されている。グループ情報９１ａは、何の記述もな〈、他のマルチメディアデータとグル一プとして関連付けられていない状態を示している。付帯情報９２には動画データ８８のタイトルと、撮影を開始した日付及び時間が記述されている。
【００８６】
同図（Ｂ）は動画デ一タ８８から静止画デ一タ９３を抽出した状態を表し、これに伴いカタログファイル２６の内容が８９ｂのように更新される。動画データ８８に関してグループ情報が９１ｂのように更新され、抽出した静止画ファイルのファイルパス名が記述される。また、新たに静止画ファイル９３に関してファイルパス名９４とグループ情報９５、付帯情報９６が記述される。グループ情報９５に静止画を抽出した元動画デ一タのファイルパス名およびフレームが記述されることで、抽出された静止画の本体データは元の動画データと別に保存しても良いし、本体データは持たず、再生する場合にはカタログファイル２６を検索し、元の動画データを展開して再生することもできる。
【００８７】
付帯情報には、図１３のステップＳ３６に示したように管理プログラム３４にしたがって静止画を抽出した元動画データのタイトル、撮影した日付、及び撮影開始時間から抽出した静止画までの再生時間を計算し、抽出した静止画の撮影日時を自動的に計算して記述する。図では撮影開始時間が１２時２０分であり、５分後のデータを静止画として抽出したので、付帯情報には１２時２５分が記述されている。撮影日時以外の撮影条件は元の動画データのものをそのまま付加する。
【００８８】
図７、図８および図９に示したようにマルチメディアデータを再生する際、カタログファイル２６内のグループ情報を検索し（ステップＳ２７）、関連付けられているデータはＨＤＤ４に転送されるので（ステップＳ３０）、動画データと、動画データから抽出した静止画の一方を再生すると、他方もＨＤＤ４に転送され、他方を再生したい場合には即時再生することが可能となる。
【００８９】
つぎに、管理プログラム３４によって動画データなど時間的に継続性のあるデータの少なくとも一部分を再生範囲から削除し、必要な部分のみを再生し、もしくは元のデータから一部分を抜き出し、抜き出した部分のみ再生するというマルチメディアデ一タの編集作業について説明する。
【００９０】
図１６、図１７、図１８および図１９はディジタル形式で圧縮された動画データのフレ一ム構成と、その圧縮された動画データの一部を切り出す際に、切り出されるフレーム範囲の境界のフレームの圧縮方式を変換する状態を示す説明図である。
【００９１】
動画データではデータ圧縮の効率を上げるために、圧縮するフレーム自身と時間的に前方もしくは後方のフレームとの相関を取って時間的冗長度を落とすフレーム間相関のある圧縮方式が用いられる場合がある。この圧縮方式を用いて圧縮された動画データの一部を切り出し、切り出した部分と他方とを独立して再生する必要がある場合、切り出す部分の前後のフレームの圧縮形式を変換する必要がある。
【００９２】
図１６において、ｆ１からｆ１３はそれぞれ動画を構成するフレーム画像を示し、例えば図１６のｆ１のように実線と文字「Ｉ」で表されるのはイントラ符号化画像（Ｉピクチャ）と呼ばれ、圧縮された画像を複合化するときに自身の情報のみで画像が再構成できるものであり、ｆ２のように破線と文字「Ｐ」で表されるのは前方予測符号化画像（Ｐピクチャ）と呼ばれ、複合化する際、予測画像として入力で時間的に前に位置し、既に複合化されたＩピクチャまたはＰピクチャを使うものであり、一般にＩピクチャに比較して効率が良い。図中矢印はそれぞれのＰピクチャが基準とする予測画像を示している。
【００９３】
同図（Ａ）は切り出し範囲が指定される前の元動画データである。Ｉピクチャはｆ１のみであり、ｆ２からｆ１３までは全てＰピクチャで構成され、自身の１フレーム前の画像を基準として圧縮・展開される。従って再生する際にはｆ１から順次再生することしかできず、途中のフレームを飛ばして再生することや、途中から再生するといったランダムアクセスが不可能である。
【００９４】
同図（Ｂ）はｆ５からｆ９までを切り出し範囲として編集した後の動画データである。同図（Ａ）と比較して、ｆ５とｆ１０がＩピクチャに変換されている。従って、ｆ１からｆ４までを再生し、ｆ５からｆ９を再生せずにｆ１０以降のフレ一ムを再生することができる。また、逆にｆ５からｆ９のみを再生することもできる。
【００９５】
図１７は上記Ｉピクチャ、Ｐピクチャ、Ｂピクチャを使用して圧縮した動画データを示す説明図である。図１７ではＩピクチャ、Ｐピクチャに加え、ｆ２のように点線と文字「Ｂ」で表される両方向予測符号化画像（Ｂピクチャ）が含まれている。Ｂピクチャは予測画像として時間的に前に位置し既に複合化されたＩピクチャまたはＰピクチャ及び時間的に後ろに位置し既に複合化されたＩピクチャまたはＰピクチャを使うものである。Ｉピクチャ、Ｐピクチャ、Ｂピクチャを用いた動画像の符合化はＭＰＥＧ方式に用いられている。
【００９６】
Ｉピクチャはｆ１とｆ１０であり、ｆ４、ｆ７、ｆ１３はそれぞれｆ１、ｆ４、ｆ７を予測画像とするＰピクチャである。ｆ２、ｆ３、ｆ５、ｆ６、ｆ８、ｆ９、ｆ１１、ｆ１２はＢピクチャであり、それぞれ前方と後方のＩピクチャもしくはＰピクチャを予測画像としている。図中矢印はそれぞれのＰピクチャ及びＢピクチャが基準とする予測画像の位置を示している。Ｉピクチャ及びＰピクチャの間隔は自由であるが、一般に動画データの特殊再生、具体的にはサーチ、早送り、再生巻き戻しや、途中フレームからの再生を可能とする必要性から、Ｉピクチャは十〜数十フレームに１枚程度の間隔で入れられる。
【００９７】
図１８は図１７と同様の圧縮方式を用いた動画データの一部のフレーム範囲を切り出す際、従来の圧縮方式の変換を示す説明図である。従来、同図（Ａ）の動画データにおいて、切り出し範囲を指定すると、例えばｆ５からｆ１０６までを切り出し範囲として指定した場合、同図（Ｂ）のように切り出し開始フレームの手前のＩピクチャから、切り出し終了フレームの後ろのＩピクチャまでを一旦全てＩピクチャに変換し、切り出す範囲のフレーム数をカウントして、切り出し範囲及び前後のフレームを同図（Ｃ）に示すようにＩピクチャ、Ｐピクチヤ、Ｂピクチャで再構成しなければならなかった。
【００９８】
従って、一時的にｆ１からｆ１１１まで１１１枚のＩピクチャを展開しなければならず、メモリが大量に必要となり、処理時間がかかる、また再構成の際にもｆ５からｆ１０６までの１０２枚のフレームを再構成する必要があり、複雑な演算処理が必要になるといった問題があった。
【００９９】
本実施の形態におけるマルチメディアファイリングシステムでは、かかる問題点を以下の方法により克服した。図１９は動画デ一タの一部のフレーム範囲を切り出す際の圧縮方式の変換を示す説明図である。
【０１００】
同図（Ａ）の動画データにおいて、切り出し範囲を指定すると、例えばｆ５からｆ１０６までを切り出し範囲として指定した場合、切り出し範囲の開始フレームｆ５と終了フレームｆ１０６において、それぞれのフレームの手前のＩピクチャから後ろのＩピクチャまでを一旦Ｉピクチャに変換して同図（Ｂ）のようにする。その後、変換された最初のＩピクチャから切り出し開始フレームの手前まで（図中ｆ１〜ｆ４）、切り出し開始フレームから切り出しフレーム後ろのＩピクチャまで（ｆ５〜ｆ１１）、切り出し終了フレーム手前のＩピクチャから切り出し終了フレームまで（ｆ１０２〜ｆ１０６）、切り出し終了フレームの後ろから切り出し終了フレ一ムの後ろのＩピクチャまで（ｆ１０７〜ｆ１１１）の４つの部分でそれぞれＩピクチャ、Ｐピクチャ、Ｂピクチャを再構成する。同図（Ｃ）は再精成された例を示す。
【０１０１】
従って、本実施の形態においては一時的にＩピクチャに変換するフレームの数はｆ１からｆ１０までとｆ１０２からｆ１１１までの合計２０枚で、切り出し範囲の長さにかかわらずＩピクチャの間隔が同一である圧縮動画データにおいては一定であるので、メモリの消費量が少なく、処理速度の短縮が実現出来る。また再構成においてもそれぞれ数フレームずつの４つの部分に分けて再構成するので、複雑な演算処理を必要としないという効果がある。
【０１０２】
同図（Ｃ）において、切り出された範囲ではｆ５がＩピクチャとなり、ｆ７、ｆ９がそれぞれｆ５、ｆ７を予測画像とするＰピクチャとなり、ｆ６、ｆ８はそれぞれｆ５及びｆ７、ｆ７及びｆ９を予測画像とするＢピクチャとなっている。従って、ｆ１からｆ４までを再生し、ｆ５からｆ１０６を再生せずにｆ１０７以降のフレームを再生することができるようになる。また、逆にｆ５からｆ９のみを再生することもできる。
【０１０３】
図２０は動画デ一タの少なくとも一部分を削除し、もしくは一部分を抜き出し、抜き出した部分のみ再生するという編集作業を示すフローチャートである。
【０１０４】
管理プログラム３４にしたがって、ステップＳ３７で発生したイベントが動画の編集かどうか判別し（ステップＳ３７）、動画の編集であるときステップＳ３８に進み、動画の編集でないときステップＳ７に進み他の処理を行なった後イベントループに戻る。
【０１０５】
ステップＳ３８では編集する動画が指定されているかどうか判別し、指定されているときステップＳ３９に進み、指定されていないときイベントループに戻る。
【０１０６】
ステップＳ３９では、元の動画から指定した範囲を抜き出しその範囲のみ再生するか、あるいは指定した範囲を再生範囲から取り除き指定部分を飛ばして再生するのかを判別し、前者ならばステップＳ４０へ進み、後者ならばステップＳ４１へ進む。それぞれ抜き出し範囲、削除範囲を指定した後、編集元の動画デ一タのアクセス情報３２内の圧縮方式４３を検索する（ステップＳ４２）。
【０１０７】
検索の結果、圧縮方式が図１７で示したようなＩピクチャ、Ｐピクチャ、Ｂピクチャにより構成されている場合、図１６で示したようなＩピクチャとＰピクチャにより構成されている場合、フレ一ム間相関のない方式である場合の３者に分けられる。
【０１０８】
圧縮した動画データがＩピクチャとＰピクチャのみによって構成される際、ステップＳ４５に進み、図１６で説明した様に、削除範囲の境界の後のフレームをＩピクチャに変換し、変換した動画データをＨＤＤ４に保存する。その後、光ディスク内の編集元データを削除し、ＨＤＤ４内の変換したデータを光ディスク１９に転送する（ステップＳ４６）。
【０１０９】
また、圧縮した動画データがＩピクチャ、Ｐピクチャ、Ｂピクチャによって構成されている際、ステップＳ４３に進み、図１９で説明したように削除範囲の開始フレームと終了フレームにおいて、それぞれのフレームの手前のＩピクチャから後ろのＩピクチャまでを、一旦Ｉピクチャに変換し、変換された最初のＩピクチャから切り出し開始フレームの手前まで、切り出し開始フレームから切り出しフレーム後ろのＩピクチャまで、切り出し終了フレーム手前のＩピクチャから切り出し終了フレームまで、切り出し終了フレームの後ろから切り出し終了フレームの後ろのＩピクチャまでの４つの部分でそれぞれＩピクチャ、Ｐピクチャ、Ｂピクチャを再構成する（ステップＳ４４）。その後、光ディスク１９内の編集元データを削除し、ＨＤＤ４内の変換したデ一タを光ディスク１９に転送する（ステップＳ４６）。
【０１１０】
さらに、圧縮した動画データがフレーム間相関のない圧縮方式である場合には元の動画データには何ら操作を加える必要はなく、ステップＳ４７に進む。
【０１１１】
動画データに対する操作が終了した後、ステップＳ４７に進み、管理プログラム３４によって実現されるカタログファイル検索・編集手段４５は、カタログファイル２６内のアクセス情報３２の再生フレーム範囲４２を、ステップＳ３９で削除を選択した際にはステップＳ４１で削除した部分を除〈範囲を再生するように更新し、抜き出しを選択した際にはステップＳ４０で抜き出した範囲のみ再生するように更新する。
【０１１２】
図２１は動画データを編集する際の管理プログラム３４によって実現される画面を示す説明図である。同図（Ａ）において、カーソル７６で再生・停止ボタン８０、スライダーノブ８１を指示し、あるいは再生時間表示８２もし〈は再生フレーム表示８３に数値を入力することにより編集したい動画像７９の削除を開始するシーンを呼び出した後、動画編集メニュー９７から「削除開始」９８ａを選択する。「削除開始」９８ａは、一旦選択されるともう一度選択されるまで同図（Ｂ）に示すように「削除終了」９８ｂに変わり入力待ちとなる。その後、同図（Ｂ）において、同様に削除する部分の最後のシーンを呼び出し、動画編集メニュー９７から「削除終了」９８ｂを選択する。
【０１１３】
以上示した操作により選択された範囲の画像が以後再生されなくなる。また、動画編集メニュー９７の「削除復活」１００を選択すると、上記操作により削除された範囲の画像が再び再生されるように復元される。また、「抜き出し」９９を選択すると、指定した範囲のみを再生することができる。
【０１１４】
図２２は動画データの一部分を削除し、抜き出し、もしくは編集する際のデータ構造を示す説明図である。同図（Ａ）に示すように、動画データ１０１は光ディスク１９に保存され、フレームａ１からａ１２０の１２０枚のフレームで構成されている。
【０１１５】
図２３は動画データ１０１のカタログファイル２６の内容を示す説明図である。図において、１０４ａはカタログファイルの動画デ一タ１０１に関する記述の抜粋であり、１０５は図３の３９で示すバックアップ先ディスクＩＤ及びファイルパス名であり、１０６ａは図３の４２で示す再生フレーム範囲である。
【０１１６】
動画データ１０１のうちフレームａ４１からａ５０、およびフレームａ９１からａ１００を再生範囲から削除する。図２２（Ｂ）は再生範囲から削除する場合のデータ構造を示す。動画データがフレーム間相関のある圧縮方式で圧縮されている場合、図１６、図１９で説明したように削除される範囲の境界のフレームで圧縮方式の変換が行われる。このときのカタログファイル２６は図２３（Ｂ）の１０４ｂに示すように、再生フレーム範囲１０６ｂはフレームａ１からａ４０、ａ５１からａ９０、ａ１０１からａ１２０の３部分に書き換えられる。
【０１１７】
図２２（Ｂ）に示すように本体データ１０２は全て光ディスクに保存される。このデータを再生する際、図７および図８のフローチャートのステップＳ２１に示したようにカタログファイル２６のアクセス情報３２を検索するので、フレームａ１からａ４０、ａ５１からａ９０、ａ１０１からａ１２０のみを再生する。また、ステップＳ２６で示したように、再生と同時に本体データをＨＤＤ４に転送するので、ＨＤＤ４に書き込まれるデ一タは図２２（Ｃ）の１０３に示すようになるので、ＨＤＤ４の記憶容量を有効に使うことができる。また、次回再生の際、このＨＤＤ４に格納された本体データ１０３を使用するので、即時、編集後のデータを再生することが可能となる。
【０１１８】
また、図２４は図２２の動画データ１０１のうちａ４１からａ１００までを抜き出し、抜き出した範囲のみ再生する際のデータ精造を示す説明図である。動画データがフレーム間相関のある圧縮方式で圧縮されている場合、図１６および図１９で説明したように削除される範囲の境界のフレ一ムで圧縮方式の変換が行われる。このとき、カタログファイル２６は図２５の１０４ｃに示したように書き換えられる。
【０１１９】
図２５はカタログファイル２６の内容を示す説明図である。抜き出した部分の再生フレーム範囲１０６ｃが記述される。元の動画データは図２４の１０７に示すように変換されて光ディスク１９に保存されているが、このデータを再生する際、図７および図８のフローチャートのステップＳ２１に示したようにカタログファイル２６のアクセス情報３２を検索するので、フレームａ４１からａ１００のみを再生する。また、ステップＳ２６に示したように再生と同時に本体データをＨＤＤ４に転送するので、ＨＤＤ４に書き込まれるデータは図２４（Ｂ）の１０８に示したようになるので、ＨＤＤ４の記憶容量を有効に使うことができる。また、次回再生の際には、このＨＤＤ４に格納された本体データ１０８を使用するので、即時、編集後のデータを再生することが可能となる。
【０１２０】
図２６は複数の動画デ一タの少なくとも一部分を合成する処理手順を示すフローチャートである。管理プログラム３４にしたがって、発生したイベントが動画の合成であるかどうかを判別し（ステップＳ４８）、動画の合成である場合、ステップＳ４９に進み、動画の合成でない場合、ステップＳ７で他の処理をした後、イベントループに戻る。
【０１２１】
ステップＳ４９では合成する複数の動画データの内の一つを指定し、図２０に示した編集により動画データの一部分を削除し、もしくは抜き出し、合成するフレーム範囲を指定する（ステップＳ５０）。図２０で説明したように、データ圧縮方式の変換、カタログファイルの更新を行い、合成する全てのデータの編集が終了後（ステップＳ５１）、編集した複数のデ一タを合成するため、カタログファイル２６に合成した動画データの属性情報の中のアクセス情報３２としてファイルパス名、バックアップ先ディスクＩＤ、再生フレ一ム範囲を登録し、元の動画データと合成動画データの関連付けを行なうためにグル一プ情報の更新を行う（ステップＳ５２）。
【０１２２】
図２７は複数の動画データの少なくとも一部分を合成する際のデータ構造を示す説明図である。同図（Ａ）の動画データ１１２と同図（Ｂ）の動画データ１１３は互いに別の光ディスクであっても良い。同図（Ａ）の動画データ１１２のフレームｂ１からｂ４０と、同図（Ｂ）の動画データ１１３のアドレスｃ５１からｃ８０を合成して、同図（Ｃ）の新しい動画データを作成する。
【０１２３】
図２８は図２７の合成デ一タを作成する際のカタログファイルを示す説明図である。同図（Ａ）の１１５ａは合成データを作成する前のカタログファイル２６の抜粋であり、１１６は動画データ１１２のバックアップ先ディスクＩＤ及びファイルパス名、１１７は同じく再生フレーム範囲、１１８ａはグループ情報である。１１９は動画データ１１３のバックアップ先ディスクＩＤ及びファイルパス名、１２１は同じく再生フレーム範囲、１２２ａはグル一プ情報である。グループ情報１１８ａ及び１２２ａは何の記述もなく、互いに独立したデータである。
【０１２４】
同図（Ｂ）の１１５ｂは合成データを作成後のカタログファイル２６の抜粋であり、動画データ１１２のグループ情報が１１８ｂのように書き換えられ、同様に動画データ１１３のグループ情報が１２２ｂに示すように書き換えられると同時に、新たに合成された動画データに関する記述が加えられる。
【０１２５】
以下、１２３は動画データ１１４のファイルパス名、１２４ａは合成元の動画データ１１２のバックアップ先ディスクＩＤ、１２５ａは合成元の動画データ１１２から合成する再生フレーム範囲、１２４ｂは合成元の動画データ１１３のバックアップ先ディスクＩＤ、１２５ｂは合成元の動画データ１１３から合成する再生フレーム範囲、１２６は動画データ１１４のグループ情報である。
【０１２６】
図２７に示すように、光ディスク１９には動画データ１１２及び１１３の本体データが再生フレーム範囲を抜き出すために圧縮方式の変換がなされて、全て記録されている。合成データを再生する際、図７及び図８のフローチャートのステップＳ２１に示したようにカタログファイル２６のアクセス情報３２を検索するので、図２８のカタログファイルの抜粋１１５ｂの再生フレーム範囲１２５ａ及び１２５ｂに記載されている動画データ１１２のフレ一ムｂ１からｂ４０、動画データ１１３のフレームｃ５１からｃ８０を続けて再生する。
【０１２７】
また、図７及び図８のステップＳ２６に示すように、再生とともに本体データをＨＤＤ４に転送するので、ＨＤＤ４に書き込まれるデータは図２７（Ｃ）の１１４に示すようになる。次回再生の際、このＨＤＤ４に格納された本体データ１１４を使用するので、以後、即時合成後のデータを再生することが可能となる。
【０１２８】
また、光ディスク１９には合成後の本体データを持たなくてもよく、光ディスク１９の容量を消費することなく、複数の合成動画データを作成することができる。ＨＤＤ４に合成データが格納されているので、必要に応じて合成した本体データを光ディスク１９に保存することも容易に実現できる。また、１１８ｂ、１２２ｂ、１２６のそれぞれの動画データのグループ情報には、互いのファイルパス名が記述され、関連付けられているので、以後いずれかのデータが選択された場合、図７のステップＳ３０及び図９のステップＳ３６に示すように指定されたデータを再生後、他のデータもＨＤＤ４に転送されるので、以後、即時再生が可能となる。管理プログラム３４は他に以下の機能を備えている。
【０１２９】
（１）付帯情報の付加及び表示
画像データ選択時に、図４の付帯情報検索・表示手段５０は、カタログファイル２６内の付帯情報２９を抽出し、画像と同時に表示したり、ディジタルカメラをディジタルカメラ入出力インターフェース３を介して接続し、カメラ設定手段４９により、同一の撮影条件にディジタルカメラを設定することができる。図２９はディジタルカメラの撮影条件を示す説明図である。図において、１２７及び１２８が付帯情報の例であり、１２７は画像データのタイトル及び撮影日時を表し、１２８は撮影条件や使用レンズが表される。
【０１３０】
（２）マルチメディアデータのグループ管理
図４のグループデータ制御手段５１により、利用者が整理のためにマルチメディアデータを階層構造を持つフォルダーにグループ分けすることができる。また、ひとつのマルチメディアデータは複数のグループに存在できる。
【０１３１】
図３０はグループ情報によりグループ化したインデックス画像を示す説明図である。同図（Ａ）において、７６はパーソナルコンピュータ２１の入力手段によるカーソル、１２９は「船」のグループ、１３０は「山」のグループ、１３１は「葉」のインデックス画像である。入力手段のカーソル７６により、「山」のグループ１３０を選択すると、同図（Ｂ）に示すように「山」のグループに属するインデックス画像が表示される。同図（ｂ）において１３２は「富士山」のグループである。グループはこのように複数の階層を形成することができる。また、「葉」の画像１３１を、「山」のグループ１３０に入れる場合は、入力手段カーソル７６により、「葉」の画像１３１を「山」のグループ１２３内に移動させればよい。図７のステップＳ３０及び図９のステップＳ３６で示した様に、カタログファイル２６のグループ情報により関連付けられているデータは任意の１つを再生すると他のデータもＨＤＤ４に転送されるので、次回グループ内の他のデ一タを再生したい場合には即時、再生することが可能となる。
【０１３２】
（３）画像データに対するアノテーション情報の付加
画像データに対して音声及びテキスト等のアノテーション（説明）を加える。図４のアノテーションデータ制御手段５２は、カタログファイル検索・編集手段４５を介して、カタログファイル２６内のアノテーション情報３０を読み出し、書き込みすることによりある画像データに関連付けられた音声データやテキスト画像デ一タを同時に再生・表示する。
【０１３３】
図３１は画像データに関連付けられた音声データやテキスト画像デ一タを同時に再生あるいは表示する説明図である。図において、１３３はテキストアノテ一ションデータを本体画像データと同時に表示している状態を示す。１３４は音声アノテーションデータを再生している状態を示す。
【０１３４】
【発明の効果】
本発明の請求項１に係るマルチメディアデータファイリングシステムによれば、ディジタル信号に変換された画像、音声およびテキストなどのマルチメディアデータを蓄積し、該蓄積されたマルチメディアデータの概要を表す縮小静止画像であるインデックス画像を指定することにより、対応する前記マルチメディアデータを表示あるいは再生するマルチメディアデータファイリングシステムにおいて、前記マルチメディアデータの入出力を行う入出力手段と、前記マルチメディアデータを記憶する第１記憶手段と、交換可能な記憶媒体を有し、該記憶媒体に前記マルチメディアデータを記憶する第２記憶手段と、前記入出力手段、前記第１記憶手段および前記第２記憶手段を制御する制御手段とを備え、前記第１記憶手段は、前記マルチメディアデータを管理および操作する管理プログラム、前記インデックス画像およびアクセス情報を含む属性情報を保持するカタログファイルを記憶し、前記アクセス情報は、少なくとも前記第１記憶手段のデータ格納場所情報、前記マルチメディアデータがバックアップされている前記交換可能な記憶媒体の識別情報、および該交換可能な記憶媒体のデータ格納場所情報を保持するので、頻繁に使用するデータは、交換可能な記憶媒体が第２記憶手段に接続されていなくても、前記第１記憶手段から即時、再生できる可能性が高く、また、前記第１記憶手段にデータが存在しなくても、前記カタログファイルにより所望のデータがいずれの交換可能な記憶媒体に格納されているかを知ることができる。したがって、マルチメディアデータの読み書きの高速性を損なうことなく、しかも容量不足を解消しつつ手動による登録作業を容易に行うことができる。
【０１３５】
請求項２に係るマルチメディアデータファイリングシステムによれば、前記マルチメディアデータを再生あるいは表示する際、前記管理プログラムにしたがって前記カタログファイルから選択された前記インデックス画像に対応する前記属性情報を検索し、該検索された属性情報に含まれる前記アクセス情報に基づき、前記第１記憶手段に対応するマルチメディアデータが存在すると判断された場合、該第１記憶手段から前記マルチメディアデータを読み出して再生し、前記第１記憶手段に存在しないと判断された場合、前記第２記憶手段から前記マルチメディアデータを読み出して再生すると同時に、該読み出したマルチメディアデータを前記第１記憶手段に転送し、前記属性情報に含まれる前記アクセス情報に、前記第１記憶手段のデータ格納場所情報を付加したので、アクセス情報に基づいて頻繁に使用するデータは、交換可能な記憶媒体が第２記憶手段に接続されていなくても、前記第１記憶手段から即時、再生できる可能性が高く、また、前記第１記憶手段にデータが存在しなくても、前記カタログファイルにより所望のデータがいずれの交換可能な記憶媒体に格納されているかを知ることができる。
【０１３６】
請求項３に係るマルチメディアデータファイリングシステムによれば、前記アクセス情報は対応するマルチメディアデータの最終アクセス日時を含み、前記マルチメディアデータを再生あるいは表示する際、前記管理プログラムにしたがって前記カタログファイルから選択された前記インデックス画像に対応する前記マルチメディアデータの属性情報を検索し、該属性情報に含まれる前記アクセス情報に基づき、前記第１記憶手段に対応するマルチメディアデータが存在すると判断される場合、前記第１記憶手段から選択されたマルチメディアデータを読み出して再生すると共に、前記アクセス情報の前記最終アクセス日時を更新し、前記第１記憶手段に対応するマルチメディアデータが存在しないと判断される場合、制御プログラムにしたがって前記第１記憶手段のデータ書込領域を確認し、該第１記憶手段に十分なデータ書込領域がない場合、前記カタログファイルから前記第１記憶手段に存在するマルチメディアデータの属性情報を検索し、該属性情報に含まれる前記最終アクセス日時に基づき、前記第１記憶手段に蓄積されている前記マルチメディアデータの中から最も古いものを順次削除してデータ書込領域を確保し、選択された前記マルチメディアデータを前記第２記憶手段から読み出して再生すると共に、該読み出されたマルチメディアデータを前記第１記憶手段に転送し、前記アクセス情報に前記第１記憶手段のデータ格納場所情報を付加し、該アクセス情報の最終アクセス日時を更新するので、第１記憶手段のデータ書込領域を確保し、頻繁に使用するデータは、交換可能な記憶媒体が第２記憶手段に接続されていなくても、前記第１記憶手段から即時、再生できる可能性が高く、また、前記第１記憶手段にデータが存在しなくても、前記カタログファイルにより所望のデータがいずれの交換可能な記憶媒体に格納されているかを知ることができる。
【０１３７】
請求項４に係るマルチメディアデータファイリングシステムによれば、前記アクセス情報は、対応するマルチメディアデータの最終アクセス日時を含み、前記属性情報は、対応するマルチメディアデータの付帯情報および説明情報を含み、前記マルチメディアデータを再生あるいは表示する際、前記管理プログラムにしたがって前記カタログファイルから選択された前記インデックス画像に対応するマルチメディアデータの付帯情報および説明情報を検索し、該付帯情報および説明情報に基づくマルチメディアデータに対応するそれぞれの属性情報に含まれる前記アクセス情報に基づき、前記第１記憶手段に前記マルチメディアデータが存在すると判断される場合、前記第１記憶手段から前記マルチメディアデータを読み出して再生すると共に、該アクセス情報の最終アクセス日時を更新し、前記第１記憶手段に存在しないと判断される場合、制御プログラムにしたがって、前記第１記憶手段のデータ書込領域を確認し、該第１記憶手段に十分なデータ書込領域がない場合、前記カタログファイルから前記第１記憶手段に存在するマルチメディアデータの属性情報を検索し、前記最終アクセス日時に基づき、前記第１記憶手段に蓄積されているマルチメディアデータの中から最も古いのを順次削除してデータ書込領域を確保し、前記マルチメディアデータを前記第２記憶手段から読み出して再生すると共に、前記第１記憶手段に転送し、前記属性情報に含まれる前記アクセス情報に前記第１記憶手段のデータ格納場所情報を付加し、前記アクセス情報の最終アクセス日時を更新するので、最終アクセス日時および付帯情報に基づいて、頻繁に使用するデータは、交換可能な記憶媒体が第２記憶手段に接続されていなくても、前記第１記憶手段から即時、再生できる可能性が高く、また、前記第１記憶手段にデータが存在しなくても、前記カタログファイルにより所望のデータがいずれの交換可能な記憶媒体に格納されているかを知ることができる。
【０１３８】
請求項５に係るマルチメディアデータファイリングシステムによれば、前記属性情報は、対応するマルチメディアデータと他のマルチメディアデータとの関連を示すグループ情報を含み、前記マルチメディアデータを再生あるいは表示する際、前記管理プログラムにしたがって前記カタログファイルから選択されたマルチメディアデータに対応する前記グループ情報を検索し、該グループ情報により関連付けされたマルチメディアデータの属性情報を検索し、該属性情報に含まれる前記アクセス情報に基づき、前記第１記憶手段に存在しないと判断される場合、前記第２記憶手段から前記グループ情報により関連付けされたマルチメディアデータを前記第１記憶手段に転送して蓄積するので、関連性のあるデータを、前記カタログファイルにグループ情報として登録しておくことにより、グループ内の任意のデータを再生すると、再生後に他のデータも前記第１記憶手段に転送し、後に関連性のあるデータを使用する際にデータを記録した交換可能な記憶媒体が前記第２記憶手段に接続されていなくても、前記第１記憶手段から即時、再生できる可能性が高い。
【０１３９】
請求項６に係るマルチメディアデータファイリングシステムによれば、前記属性情報は、対応するマルチメディアデータと他のマルチメディアデータとの関連を示すグループ情報を含み、前記マルチメディアデータを再生あるいは表示する際、前記管理プログラムにしたがって、前記カタログファイルから選択されたマルチメディアデータに対応する前記グループ情報を検索し、該グループ情報により関連付けされたマルチメディアデータの属性情報を検索し、該属性情報に含まれる前記アクセス情報に基づき、前記第１記憶手段に存在しないと判断される場合、制御プログラムにしたがって前記第１記憶手段のデータ書込領域を確認し、該第１記憶手段に十分なデータ書込領域がある場合、前記第２記憶手段から前記グループ情報により関連付けされたマルチメディアデータを前記第１記憶手段に転送して蓄積するので、関連性のあるデータを、前記カタログファイルにグループ情報として登録しておくことにより、グループ内の任意のデータを再生すると、再生後に他のデータも前記第１記憶手段に転送し、後に関連性のあるデータを使用する際にデータを記録した交換可能な記憶媒体が前記第２記憶手段に接続されていなくても、前記第１記憶手段から即時、再生できる可能性が高い。
【０１４０】
請求項７に係るマルチメディアデータファイリングシステムによれば、前記アクセス情報は、対応するマルチメディアデータの最終アクセス日時を含み、前記属性情報は、対応するマルチメディアデータと他のマルチメディアデータとの関連を示すグループ情報を含み、該マルチメディアデータを再生あるいは表示する際、前記管理プログラムにしたがって前記カタログファイルから選択された前記インデックス画像に対応する前記グループ情報を検索し、該グループ情報により関連付けされたマルチメディアデータの前記属性情報を検索し、該属性情報に含まれる前記アクセス情報に基づき、前記第１記憶手段に存在しないと判断される場合、制御プログラムにしたがって前記第１記憶手段のデータ書込領域を確認し、該第１記憶手段に十分なデータ書込領域がある場合、前記第２記憶手段から前記グループ情報により関連付けされたマルチメディアデータを前記第１記憶手段に転送し、前記第１記憶手段に十分なデータ書込領域がない場合、前記カタログファイルから前記第１記憶手段に存在するマルチメディアデータの属性情報を検索し、該属性情報に含まれる前記最終アクセス日時に基づき、前記第１記憶手段に蓄積されている前記マルチメディアデータの中から最も古いものを順次削除してデータ書込領域を確保した後に、前記第２記憶手段から前記グループ情報により関連付けされたマルチメディアデータを転送して蓄積し、前記アクセス情報の最終アクセス日時を更新するので、関連性のあるデータを、前記カタログファイルにグループ情報として登録しておくことにより、グループ内の任意のデータを再生すると、再生後に他のデータも前記第１記憶手段に転送し、後に関連性のあるデータを使用する際にデータを記録した交換可能な記憶媒体が前記第２記憶手段に接続されていなくても、前記第１記憶手段から即時、再生できる可能性が高い。
【０１４１】
請求項８に係るマルチメディアデータファイリングシステムによれば、前記入出力手段に、少なくともマルチメディアデータおよびカタログファイルが蓄積される記憶手段を有する装置が接続された際、前記管理プログラムにしたがって前記接続された装置のカタログファイルから前記属性情報を検索し、前記バックアップされている交換可能な記憶媒体の識別情報が存在しない、あるいは空である場合、制御プログラムにしたがって前記マルチメディアデータを前記第２記憶手段に転送すると共に、前記第１記憶手段および前記入出力手段に接続された装置自身が有する記憶手段の双方のカタログファイルのアクセス情報に、前記第２記憶手段に接続されている記憶媒体の識別情報および該記憶媒体のデータ格納場所情報を付加するので、例えば、ディジタルカメラなどで撮影した新規のデータを保存する際に、入出力手段に接続されたディジタルカメラなどから未保存のデータを検索し、自動的に転送することにより、従来、利用者が手動で取捨選択しなければならなかった煩雑な作業を解消できる。
【０１４２】
請求項９に係るマルチメディアデータファイリングシステムによれば、前記アクセス情報は、対応するマルチメディアデータの最終アクセス日時を含み、前記入出力手段に、少なくとも前記マルチメディアデータおよび前記カタログファイルが蓄積される記憶手段を有する装置が接続された際、前記管理プログラムにしたがって前記入出力手段に接続された装置のカタログファイルから前記属性情報を検索し、前記マルチメディアデータがバックアップされている交換可能な記憶媒体の識別情報が存在しない、あるいは空である場合、制御プログラムにしたがって前記第１記憶手段および前記第２記憶手段のデータ書込領域を確認し、前記第１記憶手段および前記第２記憶手段に十分なデータ書込領域がある場合、前記マルチメディアデータを前記第１記憶手段および前記第２記憶手段に転送し、前記第１記憶手段および前記第２記憶手段に十分なデータ書込領域がない場合、前記カタログファイルから前記第１記憶手段に存在するマルチメディアデータの属性情報を検索し、該第１記憶手段に蓄積されているマルチメディアデータの中から前記最終アクセス日時の日付が最も古いものを順次削除してデータ書込領域を確保した後に、前記マルチメディアデータを前記第１記憶手段および前記第２記憶手段に転送し、前記第１記憶手段および前記入出力手段に接続された装置自身の有する記憶手段の双方のカタログファイルの前記アクセス情報に、前記第２記憶手段に接続された記憶媒体の識別情報、該第２記憶手段に接続されている記憶媒体のデータ格納場所情報、および前記第１記憶手段のデータ格納場所情報を付加し、該アクセス情報の最終アクセス日時を更新するので、例えば、ディジタルカメラなどで撮影した新規のデータを保存する際に、入出力手段に接続されたディジタルカメラなどから未保存のデータを検索し、自動的に転送することにより、従来、利用者が手動で取捨選択しなければならなかった煩雑な作業を解消できる。
【０１４３】
請求項１０に係るマルチメディアデータファイリングシステムによれば、前記マルチメディアデータのうち動画像データの一場面を指定し、静止画像として抽出および保存する抽出保存手段と、前記カタログファイル内に元の動画像と抽出した前記静止画像との関連付けを示すグループ情報を付加する付加手段とを備えるので、後に関連性のあるデータを使用する際にデータを記録した交換可能な記憶媒体が前記第２記憶手段に接続されていなくても、前記第１記憶手段から即時、再生できる可能性が高い。
【０１４４】
請求項１１に係るマルチメディアデータファイリングシステムによれば、対応するマルチメディアデータの記録あるいは作成日時を含む付帯情報を有し、前記マルチメディアデータのうち動画像データの一場面を指定し、静止画として抽出および保存する抽出保存手段と、該抽出した静止画データに、前記付帯情報に含まれる前記記録あるいは作成日時と該抽出した静止画までの再生時間とから前記静止画が記録された時間を計算し、該計算された時間を、前記抽出した静止画の付帯情報として前記カタログファイルに付加するので、動画から静止画を切り出し保存する場合、元の動画データの撮影開始時刻と、切り出した静止画のフレーム番号とから撮影日時を算出し、他の撮影条件と共に自動的に付帯情報を作成して不可するので、利用者は切り出した静止画に対して付帯情報を付ける手間を省くことができる。
【０１４５】
請求項１２に係るマルチメディアデータファイリングシステムによれば、前記アクセス情報は、前記マルチメディアデータのうち動画像データや音声データといった継続性のあるデータについて、バックアップされている交換可能な記録媒体に蓄積されているデータの再生範囲を保持し、前記管理プログラムにしたがって前記カタログファイル内の前記再生範囲を書き換える書換手段を備え、前記マルチメディアデータを再生する際、前記管理プログラムにしたがって前記カタログファイルから選択された前記インデックス画像に対応するマルチメディアデータの属性情報を検索し、該属性情報に含まれる前記アクセス情報に基づき、前記第１記憶手段に存在すると判断される場合、前記第１記憶手段から前記再生範囲に記載された範囲のみを読み出して再生し、前記第１記憶手段に存在しないと判断される場合、前記再生範囲に記載された範囲だけを前記第２記憶手段から読み出して再生すると同時に、前記第１記憶手段に転送して蓄積するので、動画像など時間継続性のあるデータにおいて、時間方向に相関のあるディジタル圧縮方式を用いたデータの一部分を再生範囲から削除したり、再生範囲として取り出す際に、従来、切り出す範囲のデータを全て時間方向のない圧縮方式に変換しなければならないために大容量のメモリを必要としたが、切り出し開始および終了位置近傍のデータのみ時間方向に相関のないデータに変換すればよく、圧縮方式の変換の際、使用メモリを大幅に削減できる。
【０１４６】
請求項１３に係るマルチメディアファイリングシステムによれば、前記アクセス情報は、前記マルチメディアデータのうち動画像データや音声データといった継続性のあるデータについて、バックアップされている交換可能な記録媒体に蓄積されているデータの再生範囲を保持し、前記管理プログラムにしたがって前記カタログファイル内の前記再生範囲を書き換えると同時に、該動画像データもしくは音声データが時間方向の相関を用いたディジタル信号圧縮方式で圧縮されたデータである場合、前記再生範囲の開始位置と終了位置との近傍のデータを時間方向の相関を用いない圧縮方式に変換して前記第２記憶手段に書き換える書換手段を備えるので、動画像など時間継続性のあるデータにおいて、時間方向に相関のあるディジタル圧縮方式を用いたデータの一部分を再生範囲から削除したり、再生範囲として取り出す際に、従来、切り出す範囲のデータを全て時間方向のない圧縮方式に変換しなければならないために大容量のメモリを必要としたが、切り出し開始および終了位置近傍のデータのみ時間方向に相関のないデータに変換すればよく、圧縮方式の変換の際、使用メモリを大幅に削減できる。
【０１４７】
請求項１４に係るマルチメディアファイリングシステムによれば、前記アクセス情報は、前記マルチメディアデータのうち動画像データや音声データといった継続性のあるデータについて、バックアップされている交換可能な記録媒体に蓄積されているデータの再生範囲を保持し、複数の前記マルチメディアデータの少なくとも一部を合成した合成データを、該合成データの元となる各マルチメディアデータの格納場所および前記再生範囲の組み合わせによる合成データ構成情報により記述し、前記カタログファイルに登録する登録手段を備え、該合成データの再生が指示された際、前記合成データ構成情報を基に元となる各マルチメディアデータから所望のマルチメディアデータを合成して再生する再生手段とを備えるので、上記動画像など時間継続性のあるデータの一部分を再生範囲から削除したり、取り出すといった編集を、前記交換可能な記憶媒体には元のデータを保存したままで、前記カタログに再生範囲として記載することにより、任意の部分のみ再生することが可能となり、１つの元データから前記第２記憶手段の記憶容量を消費することなく、複数の編集結果を得ることができる。また、再生した範囲のみ第１記憶手段に転送することにより、前記第１記憶手段のメモリ容量を有効的に活用できる。
【０１４８】
さらに、複数の動画像など時間継続性のあるデータの少なくとも一部分を合成し、合成データとする編集を、前記交換可能な記憶媒体に元のデータを保存したままで前記カタログに合成データとして記載することにより、前記交換可能な記憶媒体には合成後のデータを持たなくても合成データとして再生することが可能であるので、前記第２記憶手段の記憶容量を消費することなく複数の合成データを作成できる。
【図面の簡単な説明】
【図１】第１の実施の形態におけるマルチメディアデ一タファイリングシステムの構成を示すブロック図である。
【図２】ＨＤＤ４、メモリカード１８および光ディスク１９に格納されるデ一タ及びファイル内容を示す説明図である。
【図３】アクセス情報３２の内容を示す説明図である。
【図４】管理プログラム３４の構成を示すブロック図である。
【図５】メモリカード１８が接続され、もし〈は接続端子２３にディジタルカメラが接続された際、新規のマルチメディアデ一タをマルチメディアデータファイリングシステム１に自動的にバックアップする処理手順を示すフローチャートである。
【図６】図５のステップＳ１２におけるＨＤＤ４の空き容量を確保する処理手順を示すフローチャートである。
【図７】利用者がインデックス画像を選択することによりマルチメディアデータを表示あるいは再生する処理手順を示すフローチャートである。
【図８】第２の実施の形態において利用者がインデックス画像を選択することによりマルチメディアデータを表示あるいは再生する処理手順を示すフローチャートである。
【図９】転送予約データの処理手順を示すフローチャートである。
【図１０】マルチメディアファイリングシステム１においてマルチメディアデータが入力および選択された場合のＨＤＤ４と光ディスク１９とにおける本体データ及びインデックス画像データの動きを示す説明図である。
【図１１】マルチメディアデータファイリングシステム１に接続されたパーソナルコンピュータ２１上で動画像を再生する際、管理プログラム３４によって実現される画面を示す説明図である。
【図１２】Ｍｏｖｉｅ−１が選択されて表示された状態を表す説明図である。
【図１３】動画データから任意の１フレームを静止画として抽出し、カタログファイル２６内のグループ情報２８により互いの画像を関連付け、以後一方が選択された場合に他方も即時再生可能な様にＨＤＤ４に転送する処理手順を示すフローチャートである。
【図１４】動画像から静止画として抽出する１シーンを指定する際、管理プログラム３４によって実現される画面を示す説明図である。
【図１５】動画データから静止画を抽出した際のデータ構造およびカタログファイルの更新状態を示す説明図である。
【図１６】ディジタル形式で圧縮された動画データのフレ一ム構成と、その圧縮された動画データの一部を切り出す際に、切り出されるフレーム範囲の境界のフレームの圧縮方式を変換する状態を示す説明図である。
【図１７】ディジタル形式で圧縮された動画データのフレ一ム構成と、その圧縮された動画データの一部を切り出す際に、切り出されるフレーム範囲の境界のフレームの圧縮方式を変換する状態を示す説明図である。
【図１８】従来のディジタル形式で圧縮された動画データのフレ一ム構成と、その圧縮された動画データの一部を切り出す際に、切り出されるフレーム範囲の境界のフレームの圧縮方式を変換する状態を示す説明図である。
【図１９】ディジタル形式で圧縮された動画データのフレ一ム構成と、その圧縮された動画データの一部を切り出す際に、切り出されるフレーム範囲の境界のフレームの圧縮方式を変換する状態を示す説明図である。
【図２０】動画デ一タの少なくとも一部分を削除し、もしくは一部分を抜き出し、抜き出した部分のみ再生するという編集作業を示すフローチャートである。
【図２１】動画データを編集する際の管理プログラム３４によって実現される画面を示す説明図である。
【図２２】動画データの一部分を削除し、抜き出し、もしくは編集する際のデータ構造を示す説明図である。
【図２３】動画データ１０１のカタログファイル２６の内容を示す説明図である。
【図２４】図２２の動画データ１０１のうちａ４１からａ１００までを抜き出し、抜き出した範囲のみ再生する際のデータ精造を示す説明図である。
【図２５】カタログファイル２６の内容を示す説明図である。
【図２６】複数の動画デ一タの少なくとも一部分を合成する処理手順を示すフローチャートである。
【図２７】複数の動画データの少なくとも一部分を合成する際のデータ構造を示す説明図である。
【図２８】図２７の合成デ一タを作成する際のカタログファイルを示す説明図である。
【図２９】ディジタルカメラの撮影条件を示す説明図である。
【図３０】グループ情報によりグループ化したインデックス画像を示す説明図である。
【図３１】画像データに関連付けられた音声データやテキスト画像デ一タを同時に再生あるいは表示する説明図である。
【符号の説明】
３  ディジタルカメラインターフェース
４  ＨＤＤ
１８  メモリカード
１９  光ディスク
２６  カタログファイル
３４  管理プログラム
５５  マルチメディアデータ制御手段
【図１】
0003715690.tif 000002
【図２】
0003715690.tif 000003
【図３】
0003715690.tif 000004
【図４】
0003715690.tif 000005
【図５】
0003715690.tif 000006
【図６】
0003715690.tif 000007
【図７】
0003715690.tif 000008
【図８】
0003715690.tif 000009
【図９】
0003715690.tif 000010
【図１０】
0003715690.tif 000011
【図１１】
0003715690.tif 000012
【図１２】
0003715690.tif 000013
【図１３】
0003715690.tif 000014
【図１４】
0003715690.tif 000015
【図１５】
0003715690.tif 000016
【図１６】
0003715690.tif 000017
【図１７】
0003715690.tif 000018
【図１８】
0003715690.tif 000019
【図１９】
0003715690.tif 000020
【図２０】
0003715690.tif 000021
【図２１】
0003715690.tif 000022
【図２２】
0003715690.tif 000023
【図２３】
0003715690.tif 000024
【図２４】
0003715690.tif 000025
【図２５】
0003715690.tif 000026
【図２６】
0003715690.tif 000027
【図２７】
0003715690.tif 000028
【図２８】
0003715690.tif 000029
【図２９】
0003715690.tif 000030
【図３０】
0003715690.tif 000031
【図３１】
0003715690.tif 000032